(57)【特許請求の範囲】
【請求項１】
記録エリアの属性に関する属性情報を含む所定データを記録可能である第１記録層と、
前記第１記録層を透過したレーザ光によって前記所定データを記録可能である第２記録層とを少なくとも備え、
前記第１記録層、及び、前記第２記録層のうち少なくとも一方は、（ｉ）前記所定データ記録エリアの位置に関する位置情報、及び（ｉｉ）前記所定データ記録エリアの属性に関する属性情報を含む管理情報を記録可能な管理エリアを備え、
前記所定データ記録エリアの属性は、データエリアと同じ属性であり、前記所定データ記録エリアに、ゼロ、又は所定の値が記録されていることを特徴とする情報記録媒体。
【請求項２】
前記管理情報は、前記位置情報として、（ｉ）前記所定データ記録エリアの開始位置を示す開始アドレス、並びに、（ｉｉ−１）前記所定データ記録エリアの終了位置を示す終了アドレス、又は（ｉｉ−２）前記所定データの記録容量に関する情報を含むことを特徴とする請求項１に記載の情報記録媒体。
【請求項３】
前記管理情報は、前記所定データ記録エリアの単位で、前記識別情報、前記位置情報、及び前記属性情報のうちの少なくとも一つを含むことを特徴とする請求項１に記載の情報記録媒体。
【請求項４】
記録エリアの属性に関する属性情報を含む所定データを記録可能である第１記録層と、
前記第１記録層を透過したレーザ光によって前記所定データを記録可能である第２記録層とを少なくとも備え、
前記第１記録層、及び、前記第２記録層のうち少なくとも一方は、（ｉ）前記所定データを記録可能な所定データ記録エリアが存在するか否かを示す識別情報、（ｉｉ）前記所定データ記録エリアの位置に関する位置情報、及び（ｉｉｉ）前記所定データ記録エリアの属性に関する属性情報のうち少なくとも一つを含む管理情報を記録可能な管理エリアを備える情報記録媒体に前記記録情報を記録する情報記録装置であって、
前記所定データ記録エリアに、データエリアと同じ属性で、ゼロ又は所定の値を記録する第１記録手段と、
前記所定データ記録エリアに対応される前記管理情報を記録する第２記録手段と
を備えることを特徴とする情報記録装置。
【請求項５】
記録エリアの属性に関する属性情報を含む所定データを記録可能である第１記録層と、
前記第１記録層を透過したレーザ光によって前記所定データを記録可能である第２記録層とを少なくとも備え、
前記第１記録層、及び、前記第２記録層のうち少なくとも一方は、（ｉ）前記所定データ記録エリアの位置に関する位置情報、及び（ｉｉ）前記所定データ記録エリアの属性に関する属性情報を含む管理情報を記録可能な管理エリアを備える情報記録媒体に前記記録情報を記録する記録手段を備える情報記録装置における情報記録方法であって、
前記所定データ記録エリアに、データエリアと同じ属性で、ゼロ又は所定の値を記録する第１記録工程と、
前記所定データ記録エリアに対応される前記管理情報を記録する第２記録工程と
を備えることを特徴とする情報記録方法。
【請求項６】
前記管理エリアは、（ｉ）前記位置情報、（ｉｉ）前記属性情報、及び（ｉｉｉ）前記所定データを記録可能な所定データ記録エリアが存在するか否かを示す識別情報を含む前記管理情報を記録可能であることを特徴とする請求項１に記載の情報記録媒体。
【発明の詳細な説明】
【技術分野】
【０００１】
本発明は、例えばＤＶＤ（Digital Versatile Disc）、ＢＤ（Blu-ray Disc）、ＣＤ（Compact Disc）等のレーザ光を照射することによって記録及び再生が可能な光ディスク等の情報記録媒体、当該情報記録媒体の記録装置及び方法、再生装置及び方法、並びに、コンピュータプログラムの技術分野に属する。
【背景技術】
【０００２】
例えば、ＣＤ−Ｒ（Compact Disc−Recordable）、ＤＶＤ−Ｒ、ＤＶＤ−ＲＷ、及び、ＤＶＤ＋Ｒ等の記録型の情報記録媒体では、特許文献１、２等に記載されているように、同一基板上に複数の記録層が積層、または貼り合わされてなる多層型若しくはデュアルレイヤ型の光ディスク等の情報記録媒体も開発されている。そして、このようなデュアルレイヤ型、即ち、２層型の光ディスクに記録を行う、ＤＶＤレコーダ等の情報記録装置では、レーザ光の照射側から見て最も手前側（即ち、光ピックアップに近い側）に位置する記録層（本願では適宜「Ｌ０層」と称する）に対して記録用のレーザ光を集光することで、Ｌ０層に対して情報を加熱などによる非可逆変化記録方式や書換え可能方式で記録する。他方、Ｌ０層等を介して、レーザ光の照射側から見てＬ０層の奥側（即ち、光ピックアップから遠い側）に位置する記録層（本願では適宜「Ｌ１層」と称する）に対して該レーザ光を集光することで、Ｌ１層に対して情報を加熱などによる非可逆変化記録方式や書換え可能方式で記録することになる。【０００３】
このような２層型の光ディスクを構成するＬ１層に情報を記録する際には、例えば図２２（ａ）に示されるように、記録済みのＬ０層を介してＬ１層に照射されたレーザ光の最適な記録パワーは、図２２（ｃ）の細線（白三角印）の放物線上におけるジッタ値が最小となる４４．５（ｍＷ：ミリワット）である。他方、図２２（ｂ）に示されるように、記録済みのＬ０層とは光透過率の異なる未記録状態のＬ０層を介してＬ１層に照射されたレーザ光の最適な記録パワーは、図２２（ｃ）の太線（黒三角印）の放物線上におけるジッタ値が最小となる４６（ｍＷ：ミリワット）であり、Ｌ１層の記録においてはＬ０層が記録されているか否かを考慮する必要性がある。これに対しては、例えば記録済みの状態のＬ０層を透過した記録用のレーザ光が照射されなければならないという、所謂、記録要件（Recording Order）を満たす記録方法が考案されている。具体的には、Ｌ０層を記録済みの状態にしてから、この記録済みのＬ０層に対応される最適な記録パワーを保持するレーザ光によって、Ｌ１層に情報が記録される。他方、Ｌ０層を未記録の状態にしておき、この未記録の状態のＬ０層に対応される最適な記録パワーを保持するレーザ光によって、Ｌ１層に情報が記録される。或いは、情報を記録予定のＬ１層の領域に対向されるＬ０層の領域が記録済みであるか否かを、例えばスペースビットマップ（ＳＢＭ：Space Bit Map）等の管理情報に基づいて判断し、その判断に基づいて、Ｌ１層に情報が記録される。ここに、本願発明に係る「対向する」とは、第１記録層の一部と第２記録層の一部とが対応して相向き合っている、即ち、概ね同一の半径位置に存在する位置関係を意味するようにしてもよい。更に、偏芯等の誤差も考慮した位置関係を意味するようにしてもよい。【０００４】
【特許文献１】特開２０００−３１１３４６号公報
【特許文献２】特開２００１−２３２３７号公報
【発明の開示】
【発明が解決しようとする課題】
【０００５】
しかしながら、上述した記録要件を満たす記録方法においては、Ｌ１層の記録領域に情報を記録するために、例えば、Ｌ０層を、例えば記録済みの状態にさせる等の各種処理によって実効的な記録動作を中断させなくてはならない。従って、記録制御処理が複雑になってしまい、記録制御処理の負荷を高めてしまうという技術的な問題点を有している。【０００６】
或いは、上述した記録要件を満たす記録方法においては、情報を記録予定のＬ１層の記録領域に対向されるＬ０層の記録領域の状態が、例えば記録済みであるか否かを、例えばＳＢＭ等の管理情報に基づいて判断しつつ、Ｌ１層の記録領域に情報を記録するためのレーザ光の最適な記録パワーを動的に変化させなければならないため、記録制御処理が複雑になってしまい、記録制御処理への負荷を高めてしまうという技術的な問題点を有している。【０００７】
更に、或いは、上述した記録要件を満たす記録方法においては、概して先ずＬ０層に情報を記録し、Ｌ０層の全体に情報が記録された後に続けて、Ｌ１層へ情報を記録する。従って、Ｌ０層の全体には情報が記録されていながら、一方でＬ１層にはその一部にしか情報が記録されていない状態が生ずる可能性がある。このような状態で、例えば既存のＤＶＤ−ＲＯＭプレーヤ等において、当該光ディスクの再生を可能とするためのファイナライズ処理を行なうと、情報が記録されていないＬ１層においてダミーデータを記録する必要がある。このため、実際に記録された情報のサイズと比較してファイナライズ処理に要する時間が多いという技術的な問題点を有している。【０００８】
本発明は、例えば上述した従来の問題点に鑑みなされたものであり、例えば複数の記録層を有する情報記録媒体に対しても、より効率的に情報の記録を行うことが可能であると共に、記録時間を短縮させることが可能である、情報記録媒体、情報記録装置及び方法、情報再生装置及び方法、並びに、コンピュータをこのような情報記録装置、及び情報再生装置として機能させるコンピュータプログラムを提供することを課題とする。
【課題を解決するための手段】
【０００９】
（情報記録媒体）
以下、本発明の情報記録媒体について説明する。【００１０】
上記課題を解決するために、本発明の情報記録媒体は、（ｉ）物理的又は光学的に記録済み状態に近づけることが可能であると共に（ｉｉ）ファイナライズのための緩衝状態（データが埋め込まれた状態）に近づけることが可能である所定データを含む記録情報の一部を記録可能である第１記録層（Ｌ０層）と、前記第１記録層を透過したレーザ光によって前記記録情報の他部を記録可能である第２記録層（Ｌ１層）とを少なくとも備え、前記第１記録層、及び、前記第２記録層のうち少なくとも一方は、（ｉｉｉ）前記所定データを記録可能な所定データ記録エリア（ダミーデータエリア）が存在するか否かを示す識別情報、（ｉｖ）前記所定データ記録エリアの位置に関する位置情報、及び（ｖ）前記所定データ記録エリアの属性に関する属性情報のうち少なくとも一つを含む管理情報（DummyRecording情報）を記録可能な管理エリア（ＲＭＡ）を備える。【００１１】
本発明の情報記録媒体によれば、第１記録層に形成された、例えばＬＰＰ（Land Pre Pit）等のアドレス情報やクロック情報を読み出し可能な、例えば第１トラックに沿って、記録情報の一部が記録される。と同時に又は相前後して、第２記録層に形成された、例えばＬＰＰ等のアドレス情報やクロック情報を読み出し可能な、例えば第２トラックに沿って、記録情報の他部が記録される。詳細には、第１トラックは、情報記録媒体に備えられた、例えばディスク状の基板の内周側及び外周側のうち一方側から他方側へと向かい、これとは逆に、第２トラックは、他方側から一方側へと向かうように構成してもよい。即ち、当該２層型或いは多層型の情報記録媒体では、記録のためのトラックが２つの記録層の間で逆方向を向いている「オポジット方式」による連続記録が可能とされる。従って、第１記録層の終了端に続いて第２記録層の開始端へと、記録を連続的に行うようにすれば、記録情報の記録処理或いは再生処理の対象としての記録層を切り換える際に、基板面内におけるレーザ光の照射位置を半径方向に殆ど又は全く変えないで済むので、迅速な層間ジャンプ（即ち、層間切替動作）が可能となる。これは、例えば映画などの連続した記録情報を記録する際に、記録層の切り換えのために特別なバッファ機能を必要とすることなく、途切れのない再生を行うことが容易となるという意味で、実践上大変便利である。【００１２】
或いは、また、第１トラックは、前述した内周側及び外周側のうち一方側から他方側へと向かい、第２トラックも、第１トラックと同様に、一方側から他方側へと向かうように構成してもよい。即ち、当該二層型或いは多層型の情報記録媒体では、トラックが二つの記録層の間で同一方向を向いている「パラレル方式」による連続記録が可能とされる。このパラレル方式では、第１記録層における記録又は再生が終了されると、第２記録層における記録又は再生が開始される時に、例えば、光ディスクの最外周にある光ピックアップが再度、最内周へ向かって移動する必要があるため、前述したオポジット方式と比較して、第１記録層から第２記録層への切り換え時間がその分だけ掛かってしまう。【００１３】
特に、本発明では、例えばＬ０層等の第１記録層において、物理的又は光学的に記録済み状態に近づけることが可能な所定データを含む記録情報の一部が、記録可能である。ここに本願発明に係る「近づける」とは、実質的に等価であることを意味するようにしてもよい。或いは、「近づける」とは、例えば定量的、又は定性的な各種のパラメータに基づいて、所定の範囲内に収まる程度に、両者の定量的又は定性的な差が小さいことを意味するようにしてもよい。
他方、例えばＬ１層等の第２記録層において、第１記録層を透過したレーザ光によって記録情報の他部を記録可能である。加えて、第１記録層、及び第２記録層のうち少なくとも一方に備えられた、例えばレコーディングマネージメントエリア（Recording Management Area）等の管理エリアにおいて、例えばＤＲ情報（Dummy Recording Information）等の管理情報を記録可能である。この管理情報は（ｉ）所定データを記録可能な所定データ記録エリア（例えばダミーデータエリア）の位置に関する位置情報、及び、（ｉｉ）所定データ記録エリアの属性に関する属性情報のうち少なくとも一方を含む。【００１４】
従って、次に示される２つの効果を享受することが可能である。【００１５】
第１の効果として、後述される、例えばＤＶＤレコーダー等の情報記録装置によって、管理情報に基づいて、物理的又は光学的に記録済み状態に近づけることが可能である所定データの記録位置を識別することが可能である。よって、情報記録装置による記録動作において、第１記録層の一の記録領域に対向される第２記録層の他の記録領域に、良好な品質を確保しつつ、記録情報の他部を迅速且つ的確に記録することが可能となる。言い換えると、記録情報の他部を第２記録層の他の記録領域に記録する際に、上述した記録要件を満たすために、第１記録層の一の記録領域に例えば所定データや記録情報を記録させるための記録処理等の各種処理によって実効的な記録動作を中断させることは殆ど又は完全にない。更に、例えば一定の最適な記録パワーによる記録制御処理等の簡便な記録処理によって、ランダムライト（Random Write）を、上述した記録要件を満たしつつ実現することも可能である。ここに、本願発明に係るランダムライトとは、ユーザが任意の位置に任意のタイミングで任意のデータを第１記録層に加えて、第２記録層に記録することである。【００１６】
以上の結果、後述される情報記録装置によって、上述した記録要件を満たした、例えばランダムライトを含む記録動作を、高い負荷が記録制御処理に掛かるのを抑制しつつ、より的確且つ迅速に行わせることが可能である。【００１７】
更に、第２の効果として、後述される情報記録装置によって、管理情報に基づいて、ファイナライズのための緩衝状態に近づけることが可能である所定データの記録位置を識別することが可能である。よって、情報記録装置によるファイナライズ処理の際に、所定データが記録される記録領域においては、例えばファイナライズのための緩衝状態にさせることを専ら目的とするパディングデータを記録する必要は殆ど又は完全にない。従って、当該情報記録媒体のファイナライズ処理の際に、例えばパディングデータを記録する必要のある記録領域の大きさを減少させる、或いは、パディングデータを記録する必要のある記録領域を殆ど又は完全に無くすことが可能となる。【００１８】
以上の結果、当該情報記録媒体のファイナライズ処理に掛かる時間は、例えばコンテンツ情報等の実効的な記録情報を記録する記録時間と概ね等しくなるため、ファイナライズ処理に掛かる時間の大幅な短縮や、より効率的な短縮を実現させることが可能となり、ユーザは、ファイナライズ処理において、より大きな快適性を体感することが可能となる。【００１９】
本発明の情報記録媒体の一の態様では、前記所定データ記録エリアの属性は、リードアウトエリア、ミドルエリア、及び、データエリアのうちいずれか一のエリアと同じ属性である。【００２０】
この態様によれば、後述される情報記録装置によって、各種の属性を保持する所定データ記録エリアを備える情報記録媒体に対して、上述した記録要件を満たした、例えばランダムライトを含む記録動作を、高い負荷が記録制御処理に掛かるのを抑制しつつ、より的確且つ迅速に行わせることが可能である。加えて、各種の属性を保持する所定データ記録エリアを備える情報記録媒体に対して、当該情報記録媒体のファイナライズ処理に掛かる時間は、例えばコンテンツ情報等の実効的な記録情報を記録する記録時間と概ね等しくなるため、ファイナライズ処理に掛かる時間の大幅な短縮や、より効率的な短縮を実現させることが可能となる。【００２１】
本発明の情報記録媒体の他の態様では、前記所定データ記録エリアの属性は、データエリアと同じ属性であり、前記所定データ記録エリアに、ゼロ、又は所定の値（Null等）を記録可能である。【００２２】
この態様によれば、データエリアの属性を保持し、ゼロ又は所定の値が記録される所定データ記録エリアを備える情報記録媒体に対して、当該情報記録媒体のファイナライズ処理に掛かる時間は、例えばコンテンツ情報等の実効的な記録情報を記録する記録時間と概ね等しくなるため、ファイナライズ処理に掛かる時間の大幅な短縮や、より効率的な短縮を実現させることが可能となる。【００２３】
本発明の情報記録媒体の他の態様では、前記管理情報は、前記位置情報として、（ｉ）前記所定データ記録エリアの開始位置を示す開始アドレス、及び並びに、（ｉｉ−１）前記所定データ記録エリアの終了位置を示す終了アドレス、又は（ｉｉ−２）前記所定データの記録容量に関する情報を含む。【００２４】
この態様によれば、高精度に所定データ記録エリアの位置を特定することが可能である。【００２５】
本発明の情報記録媒体の他の態様では、前記管理情報は、前記所定データ記録エリアの単位で、前記識別情報、前記位置情報、及び前記属性情報のうちの少なくとも一つを含む。【００２６】
この態様によれば、後述される情報記録装置による、各種の判別処理をより迅速且つ的確に行わせることが可能となる。【００２７】
本発明の情報記録媒体の他の態様では、前記所定データは、前記第１記録層、及び前記第２記録層のうち少なくとも一方において予め記録されている。【００２８】
この態様によれば、例えば光ディスクの製造時等において、レーザ光によって所定データが予め記録されることで、情報記録装置による所定データの記録動作に対する負荷を軽減することが可能である。【００２９】
本発明の情報記録媒体の他の態様では、前記所定データは、前記第１記録層、及び前記第２記録層のうち少なくとも一方における、データエリアの一部、又は、全部に記録可能である。【００３０】
この態様によれば、後述される情報記録装置によって、所定データが記録されたデータエリアの一部又は全部に対して、上述した記録要件を満たした、記録動作を、高い負荷が記録制御処理に掛かるのを抑制しつつ、より的確且つ迅速に行わせることが可能である。【００３１】
本発明の情報記録媒体の他の態様では、前記所定データは、前記第１記録層において記録可能である。【００３２】
この態様によれば、後述される情報記録装置によって、所定データが記録される第１記録層に対して、上述した記録要件を満たした、例えばランダムライトを含む記録動作を、高い負荷が記録制御処理に掛かるのを抑制しつつ、より的確且つ迅速に行わせることが可能である。【００３３】
本発明の情報記録媒体の他の態様では、前記所定データは、前記第２記録層において記録可能である。【００３４】
この態様によれば、後述される情報記録装置によって、所定データが記録される第２記録層に対して、当該情報記録媒体のファイナライズ処理に掛かる時間は、例えばコンテンツ情報等の実効的な記録情報を記録する記録時間と概ね等しくなるため、ファイナライズ処理に掛かる時間の大幅な短縮や、より効率的な短縮を実現させることが可能となる。【００３５】
本発明の情報記録媒体の他の態様では、前記管理エリアは、前記管理情報を含む記録管理情報（RMD）を記録可能である。【００３６】
この態様によれば、管理情報を含む記録管理情報（ＲＭＤ：レコーディングマネージメントデータ）に基づいて、後述される情報記録装置によって、上述した記録要件を満たした記録動作を、高い負荷が記録制御処理に掛かるのを抑制しつつ、より的確且つ迅速に行わせることが可能である。【００３７】
（情報記録装置）
以下、本発明の情報記録装置について説明する。【００３８】
上記課題を解決するために、本発明の情報記録装置は、（ｉ）物理的又は光学的に記録済み状態に近づけることが可能であると共に（ｉｉ）ファイナライズのための緩衝状態（データが埋め込まれた状態）に近づけることが可能である所定データを含む記録情報の一部を記録可能である第１記録層（Ｌ０層）と、前記第１記録層を透過したレーザ光によって前記記録情報の他部を記録可能である第２記録層（Ｌ１層）とを少なくとも備え、前記第１記録層、及び、前記第２記録層のうち少なくとも一方は、（ｉｉｉ）前記所定データを記録可能な所定データ記録エリア（ダミーデータエリア）が存在するか否かを示す識別情報、（ｉｖ）前記所定データ記録エリアの位置に関する位置情報、及び（ｖ）前記所定データ記録エリアの属性に関する属性情報のうち少なくとも一つを含む管理情報（DummyRecording情報）を記録可能な管理エリア（ＲＭＡ）を備える情報記録媒体に前記記録情報を記録する情報記録装置であって、前記管理情報を取得する取得手段と、前記記録情報を記録する記録手段と、取得された前記管理情報に基づいて（RecordingOrder維持、効率的なファイナライズ）、前記記録情報を記録するように、前記記録手段を制御する制御手段とを備える。【００３９】
本発明の情報記録装置によれば、先ず、例えば光ピックアップ等の取得手段によって、管理情報（ＤＲ情報）が取得される。次に、例えば、ドライブ又はホストコンピュータのＣＰＵ（Central Processing Unit）等の制御手段の制御下で、光ピックアップ等の記録手段によって、取得された管理情報に基づいて、記録情報が記録される。【００４０】
この結果、所定データ記録エリアを備える情報記録媒体に対して、上述した記録要件を満たした、例えばランダムライトを含む記録動作を、高い負荷が記録制御処理に掛かるのを抑制しつつ、より的確且つ迅速に行わせることが可能である。加えて、所定データ記録エリアを備える情報記録媒体に対して、当該情報記録媒体のファイナライズ処理に掛かる時間は、例えばコンテンツ情報等の実効的な記録情報を記録する記録時間と概ね等しくなるため、ファイナライズ処理に掛かる時間の大幅な短縮や、より効率的な短縮を実現させることが可能となる。【００４１】
尚、上述した本発明の情報記録媒体が有する各種態様に対応して、本発明の情報記録装置も各種態様を採ることが可能である。【００４２】
本発明の情報記録装置の一の態様では、（ｉ）前記記録情報による、前記所定データ記録エリアの書き換え、又は、（ｉｉ）前記所定データの追記に基づいて、前記管理情報を更新する更新手段を更に備える。【００４３】
この態様によれば、更新手段によって、更新された管理情報に基づいて、所定データ記録エリアを備える情報記録媒体に対して、上述した記録要件を満たした記録動作を、より的確且つ迅速に行わせることが可能である。加えて、所定データ記録エリアを備える情報記録媒体に対して、ファイナライズ処理に掛かる時間の大幅な短縮や、より効率的な短縮を実現させることが可能となる。【００４４】
本発明の情報記録装置の他の態様では、前記制御手段は、（ｉ）ユーザによる指示に応答して、又は（ｉｉ）前記記録情報の記録と平行して、前記所定データを前記第１記録層又は前記第２記録層に記録するように前記記録手段を制御する。【００４５】
この態様によれば、情報記録媒体に対して、記録情報の記録と平行して、ファイナライズのための所定データを記録可能であるので、当該情報記録媒体に対して、ファイナライズ処理に掛かる時間の大幅な短縮や、より効率的な短縮を実現させることが可能となる。【００４６】
本発明の情報記録装置の他の態様では、前記制御手段は、インクリメンタルレコーディング方式に基づいて、前記記録情報を記録するように、前記記録手段を制御する。【００４７】
この態様によれば、インクリメンタルレコーディング方式下での記録動作に対して、上述した各種の利益を享受することが可能である。【００４８】
本発明の情報記録装置の他の態様では、前記制御手段は、レイヤージャンプレコーディング方式に基づいて、前記記録情報を記録するように、前記記録手段を制御する。【００４９】
この態様によれば、レイヤージャンプレコーディング方式下での記録動作に対して、上述した各種の利益を享受することが可能である。【００５０】
（情報再生装置）
以下、本発明の情報再生装置について説明する。【００５１】
上記課題を解決するために、本発明の情報再生装置は、（ｉ）物理的又は光学的に記録済み状態に近づけることが可能であると共に（ｉｉ）ファイナライズのための緩衝状態（データが埋め込まれた状態）に近づけることが可能である所定データを含む記録情報の一部を記録可能である第１記録層（Ｌ０層）と、前記第１記録層を透過したレーザ光によって前記記録情報の他部を記録可能である第２記録層（Ｌ１層）とを少なくとも備え、前記第１記録層、及び、前記第２記録層のうち少なくとも一方は、（ｉｉｉ）前記所定データを記録可能な所定データ記録エリア（ダミーデータエリア）が存在するか否かを示す識別情報、（ｉｖ）前記所定データ記録エリアの位置に関する位置情報、及び（ｖ）前記所定データ記録エリアの属性に関する属性情報のうち少なくとも一つを含む管理情報（DummyRecording情報）を記録可能な管理エリア（ＲＭＡ）を備える情報記録媒体から前記記録情報を再生する情報再生装置であって、前記管理情報を取得する取得手段と、前記記録情報を再生する再生手段と、取得された前記管理情報に基づいて、前記記録情報を再生するように、前記再生手段を制御する制御手段とを備える。【００５２】
本発明の情報再生装置によれば、先ず、例えば光ピックアップ等の取得手段によって、管理情報（ＤＲ情報）が取得される。次に、例えば、ドライブ又はホストコンピュータのＣＰＵ（Central Processing Unit）等の制御手段の制御下で、光ピックアップ等の再生手段によって、取得された管理情報に基づいて、記録情報が再生される。【００５３】
この結果、管理情報に基づいた、所定データ記録エリアを備える情報記録媒体に対する、より高精度な再生を実現することが可能となる。【００５４】
尚、上述した本発明の情報記録媒体が有する各種態様に対応して、本発明の情報再生装置も各種態様を採ることが可能である。【００５５】
（情報記録方法）
以下、本発明の情報記録方法について説明する。【００５６】
上記課題を解決するために、本発明の情報記録方法は、（ｉ）物理的又は光学的に記録済み状態に近づけることが可能であると共に（ｉｉ）ファイナライズのための緩衝状態（データが埋め込まれた状態）に近づけることが可能である所定データを含む記録情報の一部を記録可能である第１記録層（Ｌ０層）と、前記第１記録層を透過したレーザ光によって前記記録情報の他部を記録可能である第２記録層（Ｌ１層）とを少なくとも備え、前記第１記録層、及び、前記第２記録層のうち少なくとも一方は、（ｉｉｉ）前記所定データを記録可能な所定データ記録エリア（ダミーデータエリア）が存在するか否かを示す識別情報、（ｉｖ）前記所定データ記録エリアの位置に関する位置情報、及び（ｖ）前記所定データ記録エリアの属性に関する属性情報のうち少なくとも一つを含む管理情報（DummyRecording情報）を記録可能な管理エリア（ＲＭＡ）を備える情報記録媒体に前記記録情報を記録する記録手段を備える情報記録装置における情報記録方法であって、前記管理情報を取得する取得工程と、前記記録情報を記録する記録工程と、取得された前記管理情報に基づいて（RecordingOrder維持、効率的なファイナライズ）、前記記録情報を記録するように、前記記録手段を制御する制御工程とを備える。【００５７】
本発明の情報記録方法によれば、上述した本発明の情報記録装置が有する各種利益を享受することが可能となる。【００５８】
尚、上述した本発明の情報記録装置が有する各種態様に対応して、本発明の情報記録方法も各種態様を採ることが可能である。【００５９】
（情報再生方法）
以下、本発明の情報再生方法について説明する。【００６０】
上記課題を解決するために、本発明の情報再生方法は、（ｉ）物理的又は光学的に記録済み状態に近づけることが可能であると共に（ｉｉ）ファイナライズのための緩衝状態（データが埋め込まれた状態）に近づけることが可能である所定データを含む記録情報の一部を記録可能である第１記録層（Ｌ０層）と、前記第１記録層を透過したレーザ光によって前記記録情報の他部を記録可能である第２記録層（Ｌ１層）とを少なくとも備え、前記第１記録層、及び、前記第２記録層のうち少なくとも一方は、（ｉｉｉ）前記所定データを記録可能な所定データ記録エリア（ダミーデータエリア）が存在するか否かを示す識別情報、（ｉｖ）前記所定データ記録エリアの位置に関する位置情報、及び（ｖ）前記所定データ記録エリアの属性に関する属性情報のうち少なくとも一つを含む管理情報（DummyRecording情報）を記録可能な管理エリア（ＲＭＡ）を備える情報記録媒体から前記記録情報を再生する再生手段を備える情報再生装置における情報再生方法であって、前記管理情報を取得する取得工程と、取得された前記管理情報に基づいて、前記記録情報を再生するように、前記再生手段を制御する制御工程とを備える。【００６１】
本発明の情報再生方法によれば、上述した本発明の情報再生装置が有する各種利益を享受することが可能となる。【００６２】
尚、上述した本発明の情報再生装置が有する各種態様に対応して、本発明の情報再生方法も各種態様を採ることが可能である。【００６３】
（コンピュータプログラム）
以下、本発明のコンピュータプログラムについて説明する。【００６４】
上記課題を解決するために、本発明の記録制御用のコンピュータプログラムは、上述した本発明の情報記録装置（但し、その各種態様を含む）に備えられたコンピュータを制御する記録制御用のコンピュータプログラムであって、該コンピュータを、前記取得手段、前記記録手段、及び、前記制御手段のうち少なくとも一部として機能させる。【００６５】
上記課題を解決するために、本発明の再生制御用のコンピュータプログラムは、上述した本発明の情報再生装置（但し、その各種態様を含む）に備えられたコンピュータを制御する再生制御用のコンピュータプログラムであって、該コンピュータを、前記取得手段、前記再生手段、及び、前記制御手段のうち少なくとも一部として機能させる。【００６６】
本発明に係るコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置、及び情報再生装置を比較的簡単に実現できる。【００６７】
尚、上述した本発明の情報記録装置、及び情報再生装置における各種態様に対応して、本発明の各コンピュータプログラムも各種態様を採ることが可能である。【００６８】
上記課題を解決するために、コンピュータ読取可能な媒体内の第１コンピュータプログラム製品は、上述した本発明の情報記録装置（但し、その各種態様を含む）に備えられたコンピュータにより実行可能なプログラム命令を明白に具現化し、該コンピュータを、前記取得手段、前記記録手段、及び、前記制御手段のうち少なくとも一部として機能させる。【００６９】
上記課題を解決するために、コンピュータ読取可能な媒体内の第２コンピュータプログラム製品は、上述した本発明の情報再生装置（但し、その各種態様を含む）に備えられたコンピュータにより実行可能なプログラム命令を明白に具現化し、該コンピュータを、前記取得手段、前記再生手段、及び、前記制御手段のうち少なくとも一部として機能させる。【００７０】
本発明の第１又は第２コンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置又は情報再生装置を比較的容易に実施可能となる。更に具体的には、当該コンピュータプログラム製品は、上述した本発明の情報記録装置又は情報再生装置として機能させるコンピュータ読取可能なコード（或いはコンピュータ読取可能な命令）から構成されてよい。【００７１】
本発明のこのような作用及び他の利得は次に説明する実施例から明らかにされる。【００７２】
以上説明したように、本発明の情報記録媒体によれば、第１記録層と、第２記録層と、所定データ記録エリアの位置に関する位置情報、及び所定データ記録エリアの属性に関する属性情報を含む管理情報を記録可能な管理エリア（ＲＭＡ）を備える。この結果、後述される情報記録装置によって、上述した記録要件を満たした、例えばランダムライトを含む記録動作を、高い負荷が記録制御処理に掛かるのを抑制しつつ、より的確且つ迅速に行わせることが可能である。加えて、当該情報記録媒体のファイナライズ処理に掛かる時間は、例えばコンテンツ情報等の実効的な記録情報を記録する記録時間と概ね等しくなるため、ファイナライズ処理に掛かる時間の大幅な短縮や、より効率的な短縮を実現させることが可能となり、ユーザは、ファイナライズ処理において、より大きな快適性を体感することが可能となる。【００７３】
また、本発明の情報記録装置及び方法によれば、取得手段及び工程、記録手段及び工程、並びに、制御手段及び工程を備える。この結果、所定データ記録エリアを備える情報記録媒体に対して、上述した記録要件を満たした、例えばランダムライトを含む記録動作を、高い負荷が記録制御処理に掛かるのを抑制しつつ、より的確且つ迅速に行わせることが可能である。加えて、所定データ記録エリアを備える情報記録媒体に対して、当該情報記録媒体のファイナライズ処理に掛かる時間は、例えばコンテンツ情報等の実効的な記録情報を記録する記録時間と概ね等しくなるため、ファイナライズ処理に掛かる時間の大幅な短縮や、より効率的な短縮を実現させることが可能となる。【００７４】
また、本発明の情報再生装置及び方法によれば、取得手段及び工程、再生手段及び工程、並びに、制御手段及び工程を備える。この結果、管理情報に基づいた、所定データ記録エリアを備える情報記録媒体に対する、より高精度な再生を実現することが可能となる。【００７５】
更に、また、本発明のコンピュータプログラムによれば、コンピュータを上述した本発明の情報記録装置、及び情報再生装置として機能させるので、上述した情報記録媒体に対して、上述した記録要件を満たした、例えばランダムライトを含む記録動作を、高い負荷が記録制御処理に掛かるのを抑制しつつ、より的確且つ迅速に行わせることが可能である。加えて、上述した情報記録媒体に対して、当該情報記録媒体のファイナライズ処理に掛かる時間は、例えばコンテンツ情報等の実効的な記録情報を記録する記録時間と概ね等しくなるため、ファイナライズ処理に掛かる時間の大幅な短縮や、より効率的な短縮を実現させることが可能となる。
【図面の簡単な説明】
【００７６】
【図１】本発明の情報記録媒体の実施例に係る複数の記録領域を有する光ディスクの基本構造を示した概略平面図（図１（ａ））、及び、該光ディスクの概略断面図に対応付けられた、その半径方向における記録領域構造の図式的概念図（図１（ｂ））である。
【図２】本発明の情報記録媒体の実施例に係る２層型光ディスクのデータ構造及び該光ディスクの記録領域におけるＥＣＣブロックを構成する物理的セクタ番号等のアドレス、並びに、該光ディスクのオポジット方式による記録又は再生方法を示した一の概念的グラフである。
【図３】本発明の情報記録媒体の実施例に係る２層型光ディスクのデータ構造及び該光ディスクの記録領域におけるＥＣＣブロックを構成する物理的セクタ番号等のアドレス、並びに、該光ディスクのオポジット方式による記録又は再生方法を示した他の概念的グラフである。
【図４】本発明の管理情報の一具体例を示したテーブル（図４（ａ））、及び本発明の管理情報に係るＤＲ情報のデータ構造の一具体例を示したテーブル（図４（ｂ））である。図５は、本発明の属性情報の一具体例を示したテーブルである。
【図５】本発明の属性情報の一具体例を示したテーブルである。
【図６】本発明の情報記録媒体の実施例に係る光ディスクの記録領域における遷移の一具体例を示した模式的なデータ構造図である。
【図７】図６のステップ１に対応されると共に、本発明の管理情報に係るＤＲ情報のデータ構造の一具体例を示したテーブルである。
【図８】図６のステップ２に対応されると共に、本発明の管理情報に係るＤＲ情報のデータ構造の一具体例を示したテーブルである。
【図９】本発明の情報記録装置の実施例に係る情報記録再生装置、及び、ホストコンピュータの基本構成を示したブロック図である。
【図１０】本発明の情報記録装置の実施例に係る情報記録再生装置による（ｉ）ＤＲ情報（Dummy Recording Information）の取得処理、（ｉｉ）記録処理、（ｉｉｉ）ダミーデータの記録処理、及び（ｉｖ）ＤＲ情報の更新処理を含む全体処理を示したフローチャートである。
【図１１】本発明の情報記録装置の実施例に係る情報記録再生装置による（ｉ）ＤＲ情報の取得処理を示したフローチャートである。
【図１２】本発明の情報記録装置の実施例に係る情報記録再生装置による（ｉｉ）記録処理を示したフローチャートである。
【図１３】本発明の情報記録装置の実施例に係る情報記録再生装置による（ｉｉ）ダミーデータの記録処理を示したフローチャートである。
【図１４】本発明の情報記録装置の実施例に係る情報記録再生装置による（ｉｖ）ＤＲ情報の更新処理を示したフローチャートである。
【図１５】本発明の管理情報の他の具体例を示したテーブル（図１５（ａ））、本発明の管理情報に係るＤＲ情報のデータ構造の他の具体例を示したテーブル（図１５（ｂ））、及び、本発明の識別情報の一具体例を示したテーブル（図１５（ｃ））である。
【図１６】本発明の管理情報の他の具体例を示したテーブル（図１６（ａ））、本発明の管理情報に係るＤＲ情報のデータ構造の他の具体例を示したテーブル（図１６（ｂ））、及び、本発明の識別情報の一具体例を示したテーブル（図１６（ｃ））である。
【図１７】本発明の情報記録媒体の実施例に係る光ディスクの記録領域における遷移の他の具体例を示した模式的なデータ構造図である。
【図１８】本発明の情報記録媒体の実施例に係る光ディスクの記録領域における遷移の他の具体例を示した模式的なデータ構造図である。
【図１９】本発明の情報記録媒体の実施例に係る光ディスクの記録領域における遷移の他の具体例を示した模式的なデータ構造図である。
【図２０】本発明の情報記録媒体の実施例に係る光ディスクの記録領域における遷移の他の具体例を示した模式的なデータ構造図である。
【図２１】本発明の情報記録媒体の実施例に係る光ディスクの記録領域における遷移の他の具体例を示した模式的なデータ構造図である。
【図２２】本発明に係る記録要件を概念的に示した模式図（図２２（ａ）及び図２２（ｂ））、並びに数値的に示したグラフ（図２２（ｃ））である。
【符号の説明】
【００７７】
１…センターホール、１０…トラック、１１…ＥＣＣブロック、５０…管理情報、５０ａ…ＤＲ情報、１００…光ディスク、１０１…リードインエリア、１０２…データエリア、１０３…リードアウトエリア、１０４…ミドルエリア、１０４ｓ…シフトミドルエリア、３００…情報記録再生装置、３０１…光ピックアップ、３０２…信号記録再生手段、３０３…アドレス検出部、３０５…ＣＰＵ（ドライブ制御手段）、３０６…スピンドルモータ、３０７（４０２）…メモリ、３０８（４０６）…データ入出力制御手段、３０９（４０７）…バス、４００…ホストコンピュータ、４０１…ＣＰＵ（ホスト用）、４０３…操作制御手段、４０４…操作ボタン、４０５…表示パネル、ＣＤＺ…コントロールデータゾーン、ＲＭＡ…レコーディングマネージメントエリア、ＤＤＡ…ダミーデータエリア、ＬＢ…レーザ光
【発明を実施するための最良の形態】
【００７８】
以下、本発明を実施するための最良の形態について実施例毎に順に図面に基づいて説明する。【００７９】
（１）情報記録媒体の実施例
次に、図１から図８を参照して、本発明の情報記録媒体の実施例について詳細に説明する。【００８０】
（１−１）基本構成
先ず図１を参照して、本発明の情報記録媒体の実施例に係る光ディスクの基本構造について説明する。ここに、図１は、本発明の情報記録媒体の実施例に係る複数の記録領域を有する光ディスクの基本構造を示した概略平面図（図１（ａ））、及び、該光ディスクの概略断面図に対応付けられた、その半径方向における記録領域構造の図式的概念図（図１（ｂ））である。尚、本実施例に係る光ディスクにおいては、Ｌ０層のトラックパスと、Ｌ１層のトラックパスとが反対の記録方向であるオポジット方式が記録方式の一具体例として採用されている。【００８１】
図１（ａ）及び図１（ｂ）に示されるように、光ディスク１００は、例えば、ＤＶＤと同じく直径１２ｃｍ程度のディスク本体上の記録面に、センターホール１を中心として本実施例に係るリードインエリア１０１又はリードアウトエリア１０３、データエリア１０２、並びに、ミドルエリア１０４が設けられている。そして、光ディスク１００の例えば、透明基板１０６に、Ｌ０層及びＬ１層等の記録層が積層されている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣ（Error Correction Code）ブロック１１という単位で分割されて記録される。ＥＣＣブロック１１は、記録情報がエラー訂正可能なデータ管理単位である。【００８２】
尚、本発明は、このような三つのエリアを有する光ディスクには特に限定されない。例えば、リードインエリア１０１又はリードアウトエリア１０３、並びにミドルエリア１０４が存在せずとも、以下に説明するデータ構造等の構築は可能である。また、後述するように、リードインエリア１０１又はリードアウト１０３、並びにミドルエリア１０４は更に細分化された構成であってもよい。【００８３】
本実施例に係る光ディスク１００は、図１（ｂ）に示されるように、例えば、透明基板１０６に、後述される本発明に係る第１及び第２記録層の一例を構成するＬ０層及びＬ１層が積層された構造をしている。このような二層型の光ディスク１００の記録再生時には、図１（ｂ）中、下側から上側に向かって照射されるレーザ光ＬＢの集光位置をいずれの記録層に合わせるかに応じて、Ｌ０層における記録再生が行なわれるか又はＬ１層における記録再生が行われる。また、本実施例に係る光ディスク１００は、２層片面、即ち、デュアルレイヤに限定されるものではなく、２層両面、即ちデュアルレイヤーダブルサイドであってもよい。更に、上述の如く２層の記録層を有する光ディスクに限られることなく、３層以上の多層型の光ディスクであってもよい。尚、２層型光ディスクにおけるオポジット方式による記録又は再生手順、並びに、各層におけるデータ構造については、後述される。【００８４】
（１−２）詳細構成
次に、図２から図５を参照して、本発明の情報記録媒体の実施例に係る２層型光ディスクの詳細構成について説明する。より具体的には、図２から図５を参照して、２層型光ディスクのデータ構造、該光ディスクの記録領域におけるＥＣＣブロックを構成する物理的セクタ番号等のアドレス、並びに、該光ディスクのオポジット方式による記録又は再生手順について説明する。ここに、図２は、本発明の情報記録媒体の実施例に係る２層型光ディスクのデータ構造及び該光ディスクの記録領域におけるＥＣＣブロックを構成する物理的セクタ番号等のアドレス、並びに、該光ディスクのオポジット方式による記録又は再生方法を示した一の概念的グラフである。図３は、本発明の情報記録媒体の実施例に係る２層型光ディスクのデータ構造及び該光ディスクの記録領域におけるＥＣＣブロックを構成する物理的セクタ番号等のアドレス、並びに、該光ディスクのオポジット方式による記録又は再生方法を示した他の概念的グラフである。尚、図２及び図３中の縦軸は、例えば１６進数で表現されたセクタ番号等のアドレスを示し、横軸は、光ディスクの半径方向の相対的な位置を示す。【００８５】
図２に示されるように、本発明の情報記録媒体の実施例に係る２層型光ディスク１００は、図示しない透明基板に積層された２層の記録層、即ち、Ｌ０層とＬ１層とを備えて構成されている。具体的には、Ｌ０層には、内周側から外周側にかけて、レコーディングマネージメントエリア（Recording Management Area）ＲＭＡ０、リードインエリア１０１−０、データエリア１０２−０、及びミドルエリア１０４−０が設けられている。【００８６】
ＲＭＡ０（及び、後述されるＲＭＡ１）においては、本発明に係る「管理情報」の一例を構成するＲＭＤ（Recording Management Data）が記録可能である。詳細には、ＲＭＡ０（ＲＭＡ１）においては、ＲＭＤが、約８１８回程度追記することが可能である。このＲＭＡ０（ＲＭＡ１）によって、本願発明に係る「管理エリア」の一例が構成されている。【００８７】
リードインエリア１０１−０には、コントロールデータゾーンＣＤＺが設けられている。このコントロールデータゾーンＣＤＺには、例えば記録層の数や記録トラックの方向やトラックピッチ等の各種情報が、例えばエンボスピットにより予め形成される、あるいはレーザ光等によってプリ記録される。データエリア１０２−０には、記録情報が記録可能である。ミドルエリア１０４−０は、Ｌ０層及びＬ１層に対する記録又は再生位置が未記録領域や基板外へ外れることを防止する基本機能を有するが、層間ジャンプの際に記録又は再生位置が未記録領域や基板外に外れることを防止する、言わば「ジャンプ緩衝用エリア」としての機能も有する。【００８８】
他方、Ｌ１層には、外周側から内周側にかけて、ミドルエリア１０４−１、データエリア１０２−１、リードアウトエリア１０３−１、及び、ＲＭＡ１が設けられている。より詳細には、ＲＭＡ０（ＲＭＡ１）と、図示しないレーザ光のパワーキャリブレーションを行う較正用エリアとを合わせて「Ｒ-Information Area」と称しても良い。また、上述したリードインエリア１０１−０（１０１−１）、データエリア１０２−０（１０２−１）、及びミドルエリア１０４−０（１０４−１）を合わせて「Information Area」と称しても良い。【００８９】
特に、本実施例においては、後述される情報記録装置によって、例えば上述したデータエリア１０２−０等において、例えば光ディスクの製造時や、記録動作と平行したバックグラウンドフォーマット時等の所定のタイミングで、本発明に係る所定データが記録されるようにしてもよい。【００９０】
また、本実施例に係る光ディスク１００においては、図３に示されるように、例えばインクリメンタルレコーディング（Incremental Recording）方式や、レイヤージャンプレコーディング（Layer Jump Recording）方式等において、記録情報のデータ量が光ディスクの全記録容量より比較的に少ない場合、データエリア１０２−０（１０２−１）の外周端を内周側に配置させるように構成してもよい。この場合、当該光ディスク１００においては、データエリア１０２−０（１０２−１）の外周端から内周側に位置する所定地点において、シフトミドルエリア１０４ｓ−０（１０４ｓ−１）を備えて構成してもよい。【００９１】
以上のように２層型光ディスク１００は構成されているので、該光ディスク１００の記録又は再生の際には、後述される本発明の情報記録装置の一具体例に係る情報記録再生装置の光ピックアップ等によって、レーザ光ＬＢは、図示しない基板の側から、即ち、図２及び図３中の下側から上側に向けて照射され、その焦点距離等が制御されると共に、光ディスク１００の半径方向における移動距離及び方向が制御される。これにより、夫々の記録層にデータが記録され、又は、記録されたデータが再生される。【００９２】
本発明の情報記録媒体の実施例に係る２層型光ディスクの記録又は再生手順として、オポジット方式が採用されている。ここに、オポジット方式とは、より詳細には、２層型光ディスクの記録又は再生手順として、後述される情報記録再生装置の光ピックアップが、Ｌ０層において、内周側から外周側へ向かって、即ち、図２及び図３中の矢印の右方向へ移動するのとは逆に、Ｌ１層においては、光ピックアップが外周側から内周側へ向かって、即ち、図２及び図３中の矢印の左方向へ移動することによって、２層型光ディスクにおける記録又は再生が行われる方式である。このオポジット方式では、Ｌ０層における記録又は再生が終了されると、Ｌ１層における記録又は再生が開始される時に、光ディスクの最外周にある光ピックアップが再度、最内周へ向かって移動する必要はなく、Ｌ０層からＬ１層への焦点距離だけを切り替えればよいため、Ｌ０層からＬ１層への切り替え時間がパラレル方式と比較して短いという利点があるため大容量のコンテンツ情報の記録には採用されている。【００９３】
具体的には、図２のグラフ部分において示されるように、先ず、Ｌ０層において、光ピックアップがリードインエリア１０１−０、データエリア１０２−０及びミドルエリア１０４−０を内周側から外周側へ移動するにつれて光ディスク１００の記録領域におけるセクタ番号等のアドレスは増加していく。より具体的には、光ピックアップが、内周端「Ａ１」点、リードインエリア１０１−０の終了位置「Ａ２」点、データエリア１０２−０の開始位置「Ｂ１」点、データエリア１０２−０の終了位置「Ｂ２」点に順次アクセスして、緩衝の役目を果たすミドルエリア１０４−０（開始位置は「Ｃ１」点であり、終了位置は「Ｃ２」点である）と移動されることによって、Ｌ０層における記録又は再生が行われる。他方、Ｌ１層において、具体的には、光ピックアップがミドルエリア１０４−１、データエリア１０２−１及びリードアウトエリア１０３−１を外周側から内周側へ移動するにつれて光ディスク１００の記録領域におけるセクタ番号は増加していく。より具体的には、光ピックアップが、緩衝の役目を果たすミドルエリア１０４−１（開始位置は「Ｄ１」点であり、終了位置は「Ｄ２」点である）、データエリア１０２−１の開始位置「Ｅ１」点、データエリア１０２−１の終了位置「Ｅ２」点に順次アクセスして、リードアウトエリア１０３−１（開始位置は「Ｆ１」点であり、終了位置は「Ｆ２」点である）へと移動されることによって、Ｌ１層における記録又は再生が行われる。【００９４】
以上説明したＬ０層とＬ１層とにおけるセクタ番号等のアドレスは全て、例えば１６進数における１５の補数の関係等の所定の相関関係にあるようにしてもよい。より具体的には、例えば、Ｌ０層における折り返し点（例えばセクタ番号「１ＡＦＦＦＦｈ」）とＬ１層における折り返し点（例えばセクタ番号「Ｅ５００００ｈ」）は１５の補数の関係にあるようにしてもよい。尚、本実施例において、「３００００ｈ」等の末尾の「ｈ」とは１６進数で表現されていることを示す。形式的には、「１ＡＦＦＦＦｈ」の補数は、１６進数のセクタ番号「１ＡＦＦＦＦｈ」を２進数「０００１１０１０１１１１１１１１１１１１１１１１」に変換してからビット反転（インバート：invert）「１１１００１０１００００００００００００００００」させ、１６進数「Ｅ５００００ｈ」に再変換させることによって求められる。【００９５】
以上説明した物理的セクタ番号に対して、論理ブロックアドレス（ＬＢＡ：Logical Block Address）が、１対１に割り付けられているようにしてもよい。より具体的には、例えば、セクタ番号「０３００００ｈ」には「００００００」ＬＢＡが対応し、セクタ番号「１ＡＦＦＦＦｈ」には、「１７ＦＦＦＦ」ＬＢＡが対応するようにしてもよい。また、セクタ番号「Ｅ５００００ｈ」には、「１８００００」ＬＢＡが対応し、セクタ番号「ＦＣＦＦＥＦｈ」には、「２ＦＦＦＥＦ」ＬＢＡが対応する。よって、例えば、ホストコンピュータは、物理的セクタ番号に意識することなく、例えば、ファイルシステムによって管理された論理ブロックアドレスに従って記録及び再生動作を行うことが可能となる。【００９６】
（１−３）管理情報
次に、図４及び図５を参照して、本発明の管理情報、及び、当該管理情報に係るＤＲ情報（Dummy Recording Information）の一具体例について説明する。ここに、図４は、本発明の管理情報の一具体例を示したテーブル（図４（ａ））、及び本発明の管理情報に係るＤＲ情報のデータ構造の一具体例を示したテーブル（図４（ｂ））である。図５は、本発明の属性情報の一具体例を示したテーブルである。【００９７】
図４（ａ）に示されるように、本発明の管理情報５０は、複数のダミーデータエリアＤＤＡ１からＤＤＡ「ｎ」（但し、ｎは自然数）を夫々特定し管理するために、複数のダミーデータエリアに夫々対応した（ｉ）位置情報、及び（ｉｉ）属性情報を複数含むようにしてもよい。即ち、管理情報５０は、１番目に、ダミーデータエリアＤＤＡ１を特定し管理するための位置情報、及び属性情報を含み、２番目に、ダミーデータエリアＤＤＡ２を特定し管理するための位置情報、及び属性情報を含み、以下同様にして、・・・、ｎ番目に、ダミーデータエリアＤＤＡ「ｎ」を特定し管理するための位置情報、及び属性情報を含むようにしてもよい。尚、管理情報５０は、例えばレコーディングマネージメントエリアＲＭＡ（以下、適宜「ＲＭＡ」と称す）に直接的に記録可能であるようにしてもよい。或いは、管理情報５０は、例えばレコーディングマネージメントデータＲＭＤ（以下、適宜「ＲＭＤ」と称す）に含まれ、このＲＭＤを介して間接的に記録可能であるようにしてもよい。更に、或いは、ＣＤＺや、例えば物理フォーマット情報ゾーン（RW-Physical format information zone）において、ＤＲ情報を記録するための一のフィールドを設け、例えばディスクメーカーがダミーデータエリアに関する情報をエンボスピットで形成、あるいは記録するようにしてもよい。この場合、初期状態の光ディスクに対して、後述される情報記録再生装置は、最初に、例えばＣＤＺの一のフィールドに記録されたＤＲ情報をＲＭＡに記録し、その後、ダミーデータエリアが更新や追加された場合は、ＲＭＡのＤＲ情報を更新して、最新の情報として利用するようにしてもよい。特に、ディスクメーカーがダミーデータを記録した場合の管理情報を初期ＤＲ情報（Initial Dummy Recording Information）と称してもよい。【００９８】
加えて、本発明の管理情報５０は、（ｉ）当該光ディスク１００に対して、記録動作を行なった情報記録再生装置の識別番号情報、所謂、ドライブＩＤ情報（ドライブ識別情報）、（ｉｉ）ドライブＩＤによって指定された情報記録再生装置による較正処理の結果、検出された最適記録パワーの数値情報、（ｉｉｉ）未記録状態、例えばインクリメンタル記録方式等の記録方式、及び追記不可能であるファイナライズ処理が済んだ状態等を示すディスク状態情報を記録するためのフィールドを保持するように構成してもよい。【００９９】
具体的には、図４（ｂ）に示されるように、管理情報５０の一具体例であるＤＲ情報（Dummy Recording Information）５０ａ（又は初期ＤＲ情報）は、例えばバイト単位で割り付けられた０から２０４７の番号で指定可能であるデータ位置の０番目に、ダミーデータエリアＤＤＡ１の属性情報を含み、１から４番目に、ダミーデータエリアＤＤＡ１の開始アドレスを含み、データ位置の５から８番目に、ダミーデータエリアＤＤＡ１の終了アドレスを含むようにしてもよい。尚、ＤＲ情報５０ａ等の管理情報は、終了アドレスの代わりに、ダミーデータの記録容量を含むようにしてもよい。より詳細には、図５に示されるように、属性情報５１は、例えば４種類の属性（即ち、データエリア属性、リードインエリア属性、リードアウトエリア属性、及び、ミドルエリア属性等）に夫々対応した所定のビットマターンによって示されるようにしてもよい。具体的には、属性情報５１が、例えばデータエリアと同じ属性の場合、「0001 b」（２進数表示）、又は「01 h」（１６進数表示）によって示されてもよい。同様にして、属性情報５１が、例えばリードインエリアと同じ属性の場合、「0010 b」又は「02 h」によって示されてもよい。属性情報５１が、例えばリードアウトエリアと同じ属性の場合、「0100 b」又は「04 h」によって示されてもよい。属性情報５１が、例えばミドルエリアと同じ属性の場合、「1000 b」又は「08 h」によって示されてもよい。【０１００】
再び、図４の説明に戻り、同様にして、データ位置の９番目に、ダミーデータエリアＤＤＡ１の属性情報を含み、データ位置の１０から１３番目に、ダミーデータエリアＤＤＡ２の開始アドレスを含み、データ位置の１４から１７番目に、ダミーデータエリアＤＤＡ２の終了アドレスを含み、・・・、最後の有効なデータ位置において、データ位置の１１４３番目に、ダミーデータエリアＤＤＡ１２８の属性情報を含み、データ位置の１１４４から１１４７番目に、ダミーデータエリアＤＤＡ１２８の開始アドレスを含み、データ位置の１１４８から１１５１番目に、ダミーデータエリアＤＤＡ１２８の終了アドレスを含むようにしてもよい。尚、データ位置の１１５２から２０４７番目は、予備のフィールドとされるようにしてもよい。また、属性情報は、例えば１バイト（Ｂｙｔｅｓ）のデータ量を夫々保持し、開始アドレス、及び終了アドレスを示す情報は、例えば４バイトのデータ量を夫々保持するようにしたが、他のデータ量で良いことは言うまでもない。また、データ位置もバイト単位で割り付けられた番号で指定可能であるようにしたが、他の情報量の単位に基づいて指定可能であるようにしてもよい。【０１０１】
（１−４）ダミーデータエリアの遷移の一具体例
次に、図６から図８を参照して、ダミーデータエリアの遷移の一具体例について説明する。ここに、図６は、本発明の情報記録媒体の実施例に係る光ディスクの記録領域における遷移の一具体例を示した模式的なデータ構造図である。図７は、図６のステップ１に対応されると共に、本発明の管理情報に係るＤＲ情報のデータ構造の一具体例を示したテーブルである。図８は、図６のステップ２に対応されると共に、本発明の管理情報に係るＤＲ情報のデータ構造の一具体例を示したテーブルである。【０１０２】
先ず、図６のステップ１に示されるように、例えば光ディスクの製造時や、記録動作と平行したバックグラウンドフォーマット時等の所定のタイミングで、本発明に係る所定データの一具体例であるダミーデータが記録されている。具体的には、Ｌ０層のデータエリア１０２−０、及びＬ０層のミドルエリア１０４−０に配置されるダミーデータエリアＤＤＡ１において、ミドルエリア属性（縦縞模様のハッチングを参照）の所定データが記録されている。また、Ｌ１層のミドルエリア１０４−１に配置されるダミーデータエリアＤＤＡ２においても、ミドルエリア属性の所定データが記録されている。また、Ｌ１層のデータエリア１０２−１に配置されるダミーデータエリアＤＤＡ３において、データエリア属性（斑点模様のハッチングを参照）の所定データが記録されている。また、Ｌ１層のリードアウトエリア１０３−１に配置されるダミーデータエリアＤＤＡ４において、リードアウトエリア属性（横縞模様のハッチングを参照）の所定データが記録されている。【０１０３】
特に、本実施例では、図７に示されるように、本発明の管理情報の一具体例であるＤＲ情報５０ａは、ダミーデータエリアＤＤＡ１からＤＤＡ４に夫々対応した（ｉ）位置情報、及び（ｉｉ）属性情報を含むので、４つのダミーデータエリアを夫々特定し管理することができる。即ち、後述される情報記録再生装置は、図７に示されたＤＲ情報５０ａに基づいて、ダミーデータエリアＤＤＡ１の属性は、ミドルエリアと同じ属性「08 h」であり、その開始アドレスは「0000 3000 h」であり、その終了アドレスは「0002 3778 h」であることを判別可能である。同様にして、ダミーデータエリアＤＤＡ２の属性は、ミドルエリアと同じ属性「08 h」であり、その開始アドレスは、「00FD C649 h」であり、その終了アドレスは「00FD D109 h」であることを判別可能である。また、ダミーデータエリアＤＤＡ３の属性は、データエリアと同じ属性「01 h」であり、その開始アドレスは、「00FD D10A h」であり、その終了アドレスは「00FF CC8F h」であることを判別可能である。また、ダミーデータエリアＤＤＡ４の属性は、リードアウトエリアと同じ属性「04 h」であり、その開始アドレスは、「00FF CC90 h」であり、その終了アドレスは「00FF D066 h」であることを判別可能である。【０１０４】
次に、図６のステップ２に示されるように、例えば記録情報が、例えばレイヤージャンプレコーディング方式に基づいて記録される。具体的には、コの字型の矢印ＡＲ１に示されるように、ダミーデータエリアＤＤＡ１の内周側から外周側へ向かって、記録情報（黒塗りのハッチングを参照）が所定量だけ上書きされ、Ｌ１層への層間ジャンプを経て、ダミーデータエリアＤＤＡ３の内周端へ向かって、記録情報が他の所定量だけ上書きされる。従って、ダミーデータエリアＤＤＡ１は、内周側が記録情報によって、上書きされるので、より小さくなった記録領域であるダミーデータエリアＤＤＡ１−１となる。また、ダミーデータエリアＤＤＡ３は、記録情報の上書きによって、ダミーデータエリアＤＤＡ３−１、及び、ダミーデータエリアＤＤＡ３−２の２つに分断される。【０１０５】
特に、本実施例では、後述される情報記録再生装置は、図８に示される、本発明の管理情報の一具体例であるＤＲ情報５０ａによって、上述したダミーデータエリアＤＤＡ１、及び、ダミーデータエリアＤＤＡ３の遷移を判別可能である。即ち、情報記録再生装置は、ダミーデータエリアＤＤＡ１−１の開始アドレスは「0000 3000 h」から「0001 EF00 h」に遷移したことを判別可能である。同様にして、ダミーデータエリアＤＤＡ３が分断された一部であるダミーデータエリアＤＤＡ３−１の開始アドレスは、前述の「00FD D10A h」であり、終了アドレスは新しく「00FE 10FF h」であることを判別可能である。また、ダミーデータエリアＤＤＡ３が分断された他部であるダミーデータエリアＤＤＡ３−２の開始アドレスは、新しく「00FF 57E0 h」であり、終了アドレスは前述の「00FF CC8F h」であることを判別可能である。尚、その他のダミーデータエリアには変化がないことも判別可能である。【０１０６】
次に、図６のステップ３に示されるように、ステップ２と概ね同様にして、例えば記録情報が、コの字型の矢印ＡＲ２の方向に従って、ダミーデータエリアＤＤＡ１−１の内周側から外周側へ向かって、記録情報が所定量だけ上書きされ、Ｌ１層への層間ジャンプを経て、ダミーデータエリアＤＤＡ３−１の内周端へ向かって、記録情報が他の所定量だけ上書きされる。従って、ダミーデータエリアＤＤＡ１−１は、内周側が記録情報によって、上書きされるので、より小さくなった記録領域であるダミーデータエリアＤＤＡ１−１−１となる。また、ダミーデータエリアＤＤＡ３−１は、記録情報の上書きによって、ダミーデータエリアＤＤＡ３−１−１、及び、ダミーデータエリアＤＤＡ３−１−２の２つに分断される。尚、その他のダミーデータエリアには変化がない。【０１０７】
次に、図６のステップ４に示されるように、Ｌ１層において、例えば記録情報が所定量だけ、矢印ＡＲ３の方向に従って、ダミーデータエリアＤＤＡ３−１−２の内周端へ向かって、上書きされる。従って、ダミーデータエリアＤＤＡ３−１−２は、外周側が記録情報によって、上書きされるので、より小さくなった記録領域であるダミーデータエリアＤＤＡ３−１−２−１となる。尚、その他のダミーデータエリアには変化がない。【０１０８】
最後に、図６のステップ５に示されるように、Ｌ１層において、例えばファイナライズのための緩衝用データが所定量だけ、矢印ＡＲ４の方向に従って、ダミーデータエリアＤＤＡ３−１−１の内周端において、記録される。従って、ダミーデータエリアＤＤＡ３−１−１は、内周側が緩衝用データによって、記録されるので、より小さくなった記録領域であるダミーデータエリアＤＤＡ３−１−１−１となる。続いて、Ｌ０層において、例えばファイナライズのための緩衝用データが所定量だけ、矢印ＡＲ５の方向に従って、リードインエリア１０１−０において記録される。【０１０９】
以上より、次に示される２つの効果を享受することが可能である。【０１１０】
第１の効果として、後述される情報記録再生装置による、例えばレイヤージャンプレコーディング方式の下での、一定の最適な記録パワーによる記録制御処理等の簡便な記録処理によって、ユーザが任意の位置に任意のタイミングで任意のデータをＬ０層に加えて、Ｌ１層に記録すること、所謂、ランダムライト（Random Write）を、上述した記録要件を満たしつつ行わせることも可能である。【０１１１】
この結果、後述される情報記録装置によって、上述した記録要件を満たした、例えばランダムライトを含む記録動作を、高い負荷が記録制御処理に掛かるのを抑制しつつ、より的確且つ迅速に行わせることが可能である。【０１１２】
更に、第２の効果として、後述される情報記録再生装置によるファイナライズ処理の際に、例えばミドルエリア属性の所定データが記録されている記録領域（即ち、例えばダミーデータエリアＤＤＡ１−１−１等）においては、例えばファイナライズのための緩衝状態にさせることを専ら目的とするパディングデータ等の緩衝用データを記録する必要は殆ど又は完全にない。従って、当該情報記録媒体のファイナライズ処理の際に、例えばパディングデータを記録する必要のある記録領域の大きさを減少させる、或いは、パディングデータを記録する必要のある記録領域を殆ど又は完全に無くすことが可能となる。【０１１３】
この結果、当該情報記録媒体のファイナライズ処理に掛かる時間は、例えばコンテンツ情報等の実効的な記録情報を記録する記録時間と概ね等しくなるため、ファイナライズ処理に掛かる時間の大幅な短縮や、より効率的な短縮を実現させることが可能となり、ユーザは、ファイナライズ処理において、より大きな快適性を体感することが可能となる。【０１１４】
（２）情報記録装置の実施例
次に、図９から図１４を参照して、本発明の情報記録装置の実施例の構成及び動作について詳細に説明する。特に、本実施例は、本発明に係る情報記録装置を光ディスク用の情報記録再生装置に適用した例である。【０１１５】
（２−１）基本構成
先ず、図９を参照して、本発明の情報記録装置に係る実施例における情報記録再生装置３００及び、ホストコンピュータ４００の基本構成について説明する。ここに、図９は、本発明の情報記録装置の実施例に係る情報記録再生装置、及び、ホストコンピュータの基本構成を示したブロック図である。尚、情報記録再生装置３００は、光ディスク１００に記録データを記録する機能と、光ディスク１００に記録された記録データを再生する機能とを備える。【０１１６】
図９を参照して情報記録再生装置３００の内部構成を説明する。情報記録再生装置３００は、ドライブ用のＣＰＵ（Central Processing Unit）３０５の制御下で、光ディスク１００に情報を記録すると共に、光ディスク１００に記録された情報を読み取る装置である。【０１１７】
情報記録再生装置３００は、光ディスク１００、光ピックアップ３０１、信号記録再生手段３０２、アドレス検出部３０３、アドレス演算部３０４、ＣＰＵ（ドライブ制御手段）３０５、スピンドルモータ３０６、メモリ３０７、データ入出力制御手段３０８、及びバス３０９を備えて構成されている。【０１１８】
また、ホストコンピュータ４００は、ＣＰＵ（ホスト制御手段）４０１、メモリ４０２、操作制御手段４０３、操作ボタン４０４、表示パネル４０５、データ入出力制御手段４０６、及びバス４０７を備えて構成される。【０１１９】
特に、情報記録再生装置３００は、例えばモデム等の通信手段を備えたホストコンピュータ４００を同一筐体内に収めることにより、外部ネットワークと通信可能となるように構成してもよい。或いは、例えばｉ−ｌｉｎｋ等の通信手段を備えたホストコンピュータ４００のＣＰＵ（ホスト制御手段）４０１が、データ入出力制御手段３０８、及びバス３０９を介して、直接情報記録再生装置３００を制御することによって、外部ネットワークと通信可能となるように構成してもよい。【０１２０】
光ピックアップ３０１は光ディスク１００への記録再生を行うもので、半導体レーザ装置とレンズから構成される。より詳細には、光ピックアップ３０１は、光ディスク１００に対してレーザービーム等の光ビームを、再生時には読み取り光として第１のパワーで照射し、記録時には書き込み光として第２のパワーで且つ変調させながら照射する。【０１２１】
信号記録再生手段３０２は、光ピックアップ３０１とスピンドルモータ３０６とを制御することで光ディスク１００に対して記録又は再生を行う。より具体的には、信号記録再生手段３０２は、例えば、レーザダイオードドライバ（ＬＤドライバ）及びヘッドアンプ等によって構成されている。レーザダイオードドライバは、光ピックアップ３０１内に設けられた図示しない半導体レーザを駆動する。ヘッドアンプは、光ピックアップ３０１の出力信号、即ち、光ビームの反射光を増幅し、該増幅した信号を出力する。より詳細には、信号記録再生手段３０２は、ＯＰＣ（Optimum Power Control）処理時には、ＣＰＵ３０５の制御下で、図示しないタイミング生成器等と共に、ＯＰＣパターンの記録及び再生処理により最適なレーザパワーの決定が行えるように、光ピックアップ３０１内に設けられた図示しない半導体レーザを駆動する。特に、信号記録再生手段３０２は、光ピックアップ３０１と共に、本発明に係る「記録手段」及び「再生手段」の一例を構成する。また、信号記録再生手段３０２は、例えばコントロールデータゾーンＣＤＺ、あるいはレコーディングマネージメントエリアＲＭＡ０（ＲＭＡ１）に記録されたＤＲ情報５０ａを取得可能であるようにしてもよい。よって、信号記録再生手段３０２は、本発明に係る「取得手段」の一例を構成するようにしてもよい。【０１２２】
アドレス検出部３０３は、信号記録再生手段３０２によって出力される、例えばプリフォーマットアドレス信号等を含む再生信号から光ディスク１００におけるアドレス（アドレス情報）を検出する。【０１２３】
ＣＰＵ（ドライブ制御手段）３０５は、バス３０９を介して、各種制御手段に指示を行うことで、情報記録再生装置３００全体の制御を行う。尚、ＣＰＵ３０５が動作するためのソフトウェア又はファームウェアは、メモリ３０７に格納されている。特に、ＣＰＵ３０５は、本発明に係る「制御手段」の一例を構成する。【０１２４】
スピンドルモータ３０６は光ディスク１００を回転及び停止させるもので、光ディスクへのアクセス時に動作する。より詳細には、スピンドルモータ３０６は、図示しないサーボユニット等によりスピンドルサーボを受けつつ所定速度で光ディスク１００を回転及び停止させるように構成されている。【０１２５】
メモリ３０７は、記録再生データのバッファ領域や、信号記録再生手段３０２で使用出来るデータに変換する時の中間バッファとして使用される領域など情報記録再生装置３００におけるデータ処理全般及びＯＰＣ処理において使用される。また、メモリ３０７はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【０１２６】
データ入出力制御手段３０８は、情報記録再生装置３００に対する外部からのデータ入出力を制御し、メモリ３０７上のデータバッファへの格納及び取り出しを行う。情報記録再生装置３００と、ＳＣＳＩやＡＴＡＰＩ等のインターフェースを介して接続されている外部のホストコンピュータ４００（以下、適宜ホストと称す）から発行されるドライブ制御命令は、当該データ入出力制御手段３０８を介してＣＰＵ３０５に伝達される。また、記録再生データも同様にして、当該データ入出力制御手段３０８を介して、ホストコンピュータ４００に対して送受信される。【０１２７】
ホストコンピュータ４００における、ＣＰＵ（ホスト制御手段）４０１、メモリ４０２、データ入出力制御手段４０６、及びバス４０７は、これらに対応される、情報記録再生装置３００内の構成要素と、概ね同様である。【０１２８】
操作制御手段４０３は、ホストコンピュータ４００に対する動作指示受付と表示を行うもので、例えば記録又は再生といった操作ボタン４０４による指示をＣＰＵ４０１に伝える。ＣＰＵ４０１は、操作制御手段４０３からの指示情報を元に、データ入出力手段４０６を介して、情報記録再生装置３００に対して制御命令（コマンド）を送信し、情報記録再生装置３００全体を制御するように構成してもよい。同様に、ＣＰＵ４０１は、情報記録再生装置３００に対して、動作状態をホストに送信するように要求するコマンドを送信することができる。これにより、記録中や再生中といった情報記録再生装置３００の動作状態が把握できるためＣＰＵ４０１は、操作制御手段４０３を介して蛍光管やＬＣＤなどの表示パネル４０５に情報記録再生装置３００の動作状態を出力することができる。【０１２９】
以上説明した、情報記録再生装置３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ４０２に格納されたプログラムをＣＰＵ４０１で実行させることでレコーダ機器としての動作を行っている。また、別の具体例では、情報記録再生装置３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０８（４０６）を介して接続されており、ホストコンピュータにインストールされているライティングソフトウェア等のアプリケーションが、ディスクドライブを制御する。【０１３０】
（２−２）動作原理
次に、図１０から図１３に加えて前述した図９等を適宜参照して、本発明の情報記録装置の実施例に係る情報記録再生装置における動作原理について説明する。ここに、図１０は、本発明の情報記録装置の実施例に係る情報記録再生装置による（ｉ）ＤＲ情報（Dummy Recording Information）の取得処理、（ｉｉ）記録処理、（ｉｉｉ）ダミーデータの記録処理、及び（ｉｖ）ＤＲ情報の更新処理を含む全体処理を示したフローチャートである。図１１は、本発明の情報記録装置の実施例に係る情報記録再生装置による（ｉ）ＤＲ情報の取得処理を示したフローチャートである。図１２は、本発明の情報記録装置の実施例に係る情報記録再生装置による（ｉｉ）記録処理を示したフローチャートである。図１３は、本発明の情報記録装置の実施例に係る情報記録再生装置による（ｉｉｉ）ダミーデータの記録処理を示したフローチャートである。図１４は、本発明の情報記録装置の実施例に係る情報記録再生装置による（ｉｖ）ＤＲ情報の更新処理を示したフローチャートである。【０１３１】
（２−２−１）全体処理
図１０に示されるように、情報記録再生装置の全体処理においては、（ｉ）ＤＲ情報の取得処理（ステップＳ１００）、（ｉｉ）記録処理（ステップＳ２００）、（ｉｉｉ）ダミーデータの記録処理（ステップＳ３００）、及び（ｉｖ）ＤＲ情報の更新処理（ステップＳ３００）が、概ね同時に、或いは、相前後して、実行される。【０１３２】
（２−２−２）ＤＲ情報（Dummy Recording Information）の取得処理
図１１に示されるように、ＤＲ情報の取得処理においては、先ず、ＣＰＵ（ドライブ制御手段）３０５の制御下で、光ディスクが挿入されたか否かが判定される（ステップＳ１０１）。ここで、光ディスクが挿入された場合（ステップＳ１０１：Ｙｅｓ）、ＣＰＵ３０５の制御下で、リードインエリア内のＣＤＺ、あるいはＲＭＡに記録されている最新のＲＭＤ（Recording Management Data）が再生され、ＤＲ情報が読み取られる（ステップＳ１０２）。【０１３３】
次に、ＣＰＵ３０５の制御下で、読み取られたＤＲ情報は、ゼロ、又は、ｎｕｌｌではなく、ダミーデータが記録されているか否かを示すフラグ等の識別情報（後述される図１５中のＤＲコード等を参照）、あるいはダミーデータエリアにおける開始アドレス又は終了アドレスが記録されているか否かが判定される（ステップＳ１０３）。より具体的には、記録されているミドルエリア、又はリードアウトエリアが、ファイナライズ処理によって形成された通常の形態である、或いは、本実施例に係るダミーデータエリアであるかを判定するために、ＤＲ情報の読取りに代えて、又は、加えて、リードインエリアが読み取り可能な、所定規格に準拠した完全な状態であるか否かによって、判定することも可能である。仮にリードインエリアにおいて読み取りができずに、所定規格に準拠しない不完全な状態であれば、ファイナライズされていないと判定して、既に記録されているミドルエリアやリードアウトエリアにおいてオーバーライト（上書き）するようにしてもよい。【０１３４】
前述したステップＳ１０３で、読み取られたＤＲ情報は、ゼロ、又は、ｎｕｌｌではなく、ダミーデータエリアにおける開始アドレス又は終了アドレスが記録されている場合（ステップＳ１０３：Ｙｅｓ）、ＣＰＵ３０５の制御下で、ＣＤＺあるいは最新のＲＭＤに含まれるＤＲ情報から、ダミーデータエリアの位置を示す開始アドレスや終了アドレス等の位置情報が取得される（ステップＳ１０４）。【０１３５】
他方、ステップＳ１０３の判定の結果、読み取られたＤＲ情報は、ゼロ、又は、ｎｕｌｌであり、ダミーデータエリアにおける開始アドレスや終了アドレス等の位置情報が記録されていない場合（ステップＳ１０３：Ｎｏ）、ＣＰＵ３０５の制御下で、ダミーデータエリアは、当該光ディスクには存在しないと判断される（ステップＳ１０５）。また、他方、ステップＳ１０１の判定の結果、光ディスクが挿入されない場合（ステップＳ１０１：Ｎｏ）、再度、光ディスクが挿入されたか否かが判定される（ステップＳ１０１）。【０１３６】
（２−２−３）記録処理
図１２に示されるように、記録処理においては、先ず、ＣＰＵ３０５の制御下で、ホストコンピュータから、記録処理を開始させる、例えばライトコマンドが発呼されたか否かが判定される（ステップＳ２０１）。ここで、記録処理を開始させるライトコマンドが発呼された場合（ステップＳ２０１：Ｙｅｓ）、ＣＰＵ３０５の制御下で、例えば記録領域内において記録を開始するアドレス（以下、「記録開始アドレス」と適宜称す）や、記録を終了するアドレス（以下、「記録終了アドレス」と適宜称す）が取得される（ステップＳ２０２）。他方、記録処理を開始させる、例えばライトコマンドが発呼されない場合（ステップＳ２０１：Ｎｏ）、再度、発呼を待つ。【０１３７】
次に、ＣＰＵ３０５の制御下で、例えば記録開始アドレスや記録終了アドレス等によって特定される記録しようとする位置（目的となる記録位置）は、Ｌ１層の記録層に存在するか否かが判定される（ステップＳ２０３）。ここで、この目的となる記録位置は、Ｌ１層の記録層に存在する場合（ステップＳ２０３：Ｙｅｓ）、ＣＰＵ３０５の制御下で、（ｉ）例えばＳＢＭ（Space Bit Map）から取得されたＬ０層の記録済み状態の記録領域の位置情報、及び（ｉｉ）取得されたＤＲ情報に基づいて、記録要件を満たしつつ記録可能なＬ１層の記録領域の範囲が把握される（ステップＳ２０４）。【０１３８】
次に、ＣＰＵ３０５の制御下で、目的となる記録位置において、記録要件を満たしつつ記録動作を行えるか否かが判定される（ステップＳ２０５）。ここで、目的となる記録位置において、記録要件を満たしつつ記録動作を行えない場合（ステップＳ２０５：Ｎｏ）、ＣＰＵ３０５の制御下で、記録要件を満たす位置に記録位置が変更される（ステップＳ２０６）。尚、記録要件を満たすように、例えばＬ０層にダミーデータを記録させ、最初に設定された記録位置を変更しないようにしてもよい。【０１３９】
次に、ＣＰＵ３０５の制御下で、例えば記録開始アドレスから、記録情報の記録が行われる（ステップＳ２０７）。【０１４０】
次に、ＣＰＵ３０５の制御下で、記録情報の記録を終了するか否かが判定される（ステップＳ２０８）。ここで、記録情報の記録を終了した場合（ステップＳ２０８：Ｙｅｓ）、ＣＰＵ３０５の制御下で、記録情報が記録されている位置が、ダミーデータエリアに上書きされる、又は上書きされたか否かが判定される（ステップＳ２０９）。特に、例えば、前述したステップＳ２０２における記録開始アドレスや記録終了アドレスの取得と同時に又は相前後して、ＣＰＵ３０５の制御下で、予定されている記録情報の情報量と、記録開始アドレスとに基づいて、記録情報の記録予定の位置が、ダミーデータエリアに上書きされるか否かが判定されるようにしてもよい。ここで、記録情報が記録されている位置が、ダミーデータエリアに上書きされる、又は上書きされた場合（ステップＳ２０９：Ｙｅｓ）、ＣＰＵ３０５の制御下で、ＤＲ情報を更新するか否かが判定される（ステップＳ２１０）。ここで、ＤＲ情報を更新する場合（ステップＳ２１０：Ｙｅｓ）、ＣＰＵ３０５の制御下で、後述されるＤＲ情報の更新処理が行われる（ステップＳ４００）。【０１４１】
他方、前述のステップＳ２０９の判定の結果、記録情報が記録されている位置が、ダミーデータエリアに上書きされない場合（ステップＳ２０９：Ｎｏ）、又は、前述のステップＳ２１０の判定の結果、ＤＲ情報を更新しない場合（ステップＳ２１０：Ｎｏ）、ＣＰＵ３０５の制御下で、一連の記録処理は終了される。【０１４２】
他方、前述のステップＳ２０３の判定の結果、目的となる記録位置は、Ｌ１層の記録層に存在しない場合（ステップＳ２０３：Ｎｏ）、又は、前述のステップＳ２０５の判定の結果、目的となる記録位置において、記録要件を満たしつつ記録動作を行える場合（ステップＳ２０５：Ｙｅｓ）、前述したように、ＣＰＵ３０５の制御下で、例えば記録開始アドレスから、記録情報の記録が行われる（ステップＳ２０７）。【０１４３】
他方、ステップＳ２０８の判定の結果、記録情報の記録を終了しない場合（ステップＳ２０８：Ｎｏ）、前述したように、ＣＰＵ３０５の制御下で、例えば記録領域内において記録を開始するアドレスや、記録を終了するアドレスが取得される（ステップＳ２０２）。【０１４４】
（２−２−４）ダミーデータの記録処理
図１３に示されるように、ダミーデータの記録処理においては、先ず、ＣＰＵ３０５の制御下で、ホストコンピュータから、ダミーデータの記録処理を開始させる、例えばライトコマンドが発呼されたか否かが判定される（ステップＳ３０１）。ここで、ダミーデータの記録処理を開始させるライトコマンドが発呼された場合（ステップＳ３０１：Ｙｅｓ）、ＣＰＵ３０５の制御下で、所定の属性のダミーデータが所定の位置に記録される（ステップＳ３０２）。他方、ダミーデータの記録処理を開始させる、例えばライトコマンドが発呼されない場合（ステップＳ３０１：Ｎｏ）、再度、発呼を待つ。【０１４５】
次に、ＣＰＵ３０５の制御下で、ＤＲ情報を更新するか否かが判定される（ステップＳ３０３）。ここで、ＤＲ情報を更新する場合（ステップＳ３０３：Ｙｅｓ）、ＣＰＵ３０５の制御下で、後述されるＤＲ情報の更新処理が行われる（ステップＳ４００）。【０１４６】
他方、ステップＳ３０３の判定の結果、ＤＲ情報を更新しない場合（ステップＳ３０３：Ｎｏ）、ＣＰＵ３０５の制御下で、一連の記録処理は終了される。【０１４７】
（２−２−５）ＤＲ情報の更新処理
図１４に示されるように、ＤＲ情報の更新処理においては、先ず、ＣＰＵ３０５の制御下で、ダミーデータエリア上で記録情報が上書きされた、又は上書きされるか否かが判定される（ステップＳ４０１）。ここで、ダミーデータエリア上で記録情報が上書きされた、又は上書きされる場合（ステップＳ４０１：Ｙｅｓ）、変更されたダミーデータエリアの属性、開始アドレス、及び終了アドレスが、ＤＲ情報に反映され、当該ＤＲ情報が更新される（ステップＳ４０２）。他方、ダミーデータエリア上で記録情報が上書きされない場合（ステップＳ４０１：Ｎｏ）、ステップＳ４０２は省略される。【０１４８】
次に、ＣＰＵ３０５の制御下で、ダミーデータが追加的に記録された、又は、記録されるか否かが判定される（ステップＳ４０３）。ここで、ダミーデータが追加的に記録された、又は、記録される場合（ステップＳ４０３：Ｙｅｓ）、現在のＤＲ情報に対して、新しく記録されたダミーデータエリアの属性、開始アドレス、及び、終了アドレスが、ＤＲ情報に追加される（ステップＳ４０４）。他方、ダミーデータが追加的に記録されない場合（ステップＳ４０３：Ｎｏ）、ステップＳ４０４は省略される。【０１４９】
最後に、更新された、又は、追加されたＤＲ情報が、最新のＲＭＤとして、ＲＭＡに記録される（ステップＳ４０５）。具体的には、例えば、前述した図７及び図８に示されるように、ＤＲ情報に、ダミーデータエリアＤＤＡ３−１、及びダミーデータエリアＤＤＡ３−２を特定するための属性情報及び位置情報が追加され、このＤＲ情報を含むＲＭＤが、最新のＲＭＤとして、ＲＭＡに記録される。【０１５０】
尚、上述したＤＲ情報の更新処理は、情報記録再生装置における、例えばメモリ等の記憶手段の上で行われて、例えば光ディスクの排出時に、ＲＭＡに記録されるようにしてもよい。或いは、情報記録再生装置によって、更新が行われる都度、光ディスクのＲＭＡ上において、直接的に、ＤＲ情報の更新のための記録が行われるようにしてもよい。【０１５１】
（３）管理情報の他の具体例−その１−
次に、図１５を参照して、本発明の管理情報、及び、当該管理情報に係るＤＲ情報（Dummy Recording Information）の他の具体例について説明する。尚、前述した図４において説明した管理情報の一具体例と概ね同様の内容については適宜、省略する。ここに、図１５は、本発明の管理情報の他の具体例を示したテーブル（図１５（ａ））、本発明の管理情報に係るＤＲ情報のデータ構造の他の具体例を示したテーブル（図１５（ｂ））、及び、本発明の識別情報の一具体例を示したテーブル（図１５（ｃ））である。【０１５２】
図１５（ａ）に示されるように、本発明の管理情報５０は、（ｉ）Ｌ０層についての識別情報、即ち、Ｌ０層においてダミーデータが記録されているか否かを示す識別情報、及び（ｉｉ）Ｌ１層についての識別情報、即ち、Ｌ１層においてダミーデータが記録されているか否かを示す識別情報を含むようにしてもよい。尚、管理情報５０は、前述したように、ＣＤＺや、例えば物理フォーマット情報ゾーン（RW-Physical format information zone）において、ＤＲ情報を記録するための一のフィールドを設け、例えばディスクメーカーがダミーデータエリアに関する情報をエンボスピットで形成、あるいは記録するようにしてもよい。この場合、初期状態の光ディスクに対して、情報記録再生装置は、最初に、例えばＣＤＺの一のフィールドに記録されたＤＲ情報をＲＭＡに記録し、その後、ダミーデータエリアが更新や追加された場合は、ＲＭＡのＤＲ情報を更新して、最新の情報として利用するようにしてもよい。或いは、管理情報５０は、例えばレコーディングマネージメントエリアＲＭＡに直接的に記録可能であるようにしてもよい。更に、或いは、管理情報５０は、例えばレコーディングマネージメントデータＲＭＤに含まれ、このＲＭＤを介して間接的に記録可能であるようにしてもよい。【０１５３】
具体的には、図１５（ｂ）に示されるように、管理情報５０の他の具体例であるＤＲ情報（Dummy Recording Information）５０ｂは、例えばバイト単位で割り付けられた０から２０４７の番号で指定可能であるデータ位置の、例えば４４番目に、本発明の識別情報の一具体例であるＤＲコード（Dummy Recording Code）５１ｂを含むようにしてもよい。このＤＲコード（Dummy Recording Code）５１ｂは、データ量が１バイト（Byte）であるようにしてもよい。より詳細には、図１５（ｃ）に示されるように、ＤＲコード５１ｂは、（ｉ）例えばＬ０層において、ダミーデータが記録されているか否かを示す所定のビットパターンと、（ｉｉ）例えばＬ１層において、ダミーデータが記録されているか否かを示す所定のビットパターンとが組み合わされることによって示されてもよい。具体的には、ＤＲコード５１ｂのうち右から１番目のビットが、「0」である場合、Ｌ０層においてダミーデータが記録されていないと意味するようにしてもよい。他方、ＤＲコード５１ｂのうち右から１番目のビットが、「1」である場合、Ｌ０層においてダミーデータが記録されていると意味するようにしてもよい。概ね同様にして、ＤＲコード５１ｂのうち右から２番目のビットが、「0」である場合、Ｌ１層においてダミーデータが記録されていないと意味するようにしてもよい。他方、ＤＲコード５１ｂのうち右から２番目のビットが、「1」である場合、Ｌ１層においてダミーデータが記録されていると意味するようにしてもよい。尚、右から３番目のビットから８番目のビットまでは予備のビットとしてもよい。また、各種のビットパターンによって、本発明の識別情報を実現することができるのは言うまでもない。【０１５４】
（４）管理情報の他の具体例−その２−
次に、図１６を参照して、本発明の管理情報、及び、当該管理情報に係るＤＲ情報（Dummy Recording Information）の他の具体例について説明する。尚、前述した図１５において説明した管理情報の他の具体例と概ね同様の内容については適宜、省略する。ここに、図１６は、本発明の管理情報の他の具体例を示したテーブル（図１６（ａ））、本発明の管理情報に係るＤＲ情報のデータ構造の他の具体例を示したテーブル（図１６（ｂ））、及び、本発明の識別情報の一具体例を示したテーブル（図１６（ｃ））である。【０１５５】
図１６（ａ）に示されるように、本発明の管理情報５０は、（ｉ）Ｌ０層について詳細に記載した識別情報、即ち、Ｌ０層において如何なる属性のダミーデータが記録されているか否かを示す識別情報、及び（ｉｉ）Ｌ１層について詳細に記載した識別情報、即ち、Ｌ１層において如何なる属性のダミーデータが記録されているか否かを示す識別情報を含むようにしてもよい。その他の構成等については、前述した図１５において説明した管理情報の他の具体例と概ね同様である。【０１５６】
具体的には、図１６（ｂ）に示されるように、管理情報５０の他の具体例であるＤＲ情報（Dummy Recording Information）５０ｃは、例えばバイト単位で割り付けられた０から２０４７の番号で指定可能であるデータ位置の、例えば４４番目に、本発明の識別情報の一具体例であるＤＲコード（Dummy Recording Code）５１ｃを含むようにしてもよい。このＤＲコード（Dummy Recording Code）５１ｃは、データ量が１バイト（Byte）であるようにしてもよい。より詳細には、図１６（ｃ）に示されるように、ＤＲコード５１ｃは、（ｉ）例えばＬ０層において、如何なる属性のダミーデータが記録されているか否かを示す所定のビットパターンと、（ｉｉ）例えばＬ１層において、如何なる属性のダミーデータが記録されているか否かを示す所定のビットパターンとが組み合わされることによって示されてもよい。具体的には、ＤＲコード５１ｃのうち右から１番目及び２番目のビットが、「00」である場合、Ｌ０層においてダミーデータが記録されていないと意味するようにしてもよい。他方、ＤＲコード５１ｃのうち右から１番目及び２番目のビットが、「01」である場合、Ｌ０層においてデータエリア属性のダミーデータが記録されていると意味するようにしてもよい。更に、他方、ＤＲコード５１ｃのうち右から１番目及び２番目のビットが、「10」である場合、Ｌ０層においてミドルエリア属性のダミーデータが記録されていると意味するようにしてもよい。更に、他方、ＤＲコード５１ｃのうち右から１番目及び２番目のビットが、「11」である場合、Ｌ０層においてリードアウトエリア属性のダミーデータが記録されていると意味するようにしてもよい。【０１５７】
概ね同様にして、ＤＲコード５１ｃのうち右から３番目及び４番目のビットが、「00」である場合、Ｌ１層においてダミーデータが記録されていないと意味するようにしてもよい。他方、ＤＲコード５１ｃのうち右から３番目及び４番目のビットが、「01」である場合、Ｌ１層においてデータエリア属性のダミーデータが記録されていると意味するようにしてもよい。更に、他方、ＤＲコード５１ｃのうち右から３番目及び４番目のビットが、「10」である場合、Ｌ１層においてミドルエリア属性のダミーデータが記録されていると意味するようにしてもよい。更に、他方、ＤＲコード５１ｃのうち右から３番目及び４番目のビットが、「11」である場合、Ｌ１層においてリードアウトエリア属性のダミーデータが記録されていると意味するようにしてもよい。尚、右から５番目のビットから８番目のビットまでは予備のビットとしてもよい。また、各種のビットパターンによって、本発明の識別情報を実現することができるのは言うまでもない。【０１５８】
（５）ダミーデータエリアの遷移の他の具体例
次に、図１７から図２１を参照して、ダミーデータエリアの遷移の他の具体例について説明する。ここに、図１７から図２１は、本発明の情報記録媒体の実施例に係る光ディスクの記録領域における遷移の他の具体例を示した模式的なデータ構造図である。尚、ダミーデータエリアを特定するためのＤＲ情報のデータ構造は、前述の図４、図５、図７、及び図８で説明したＤＲ情報と概ね同様である。また、図１７から図２１におけるダミーデータエリアの属性を示すハッチングの模様は、前述した図６におけるハッチングの模様と同じである。【０１５９】
（５−１）ダミーデータエリアの遷移の具体例−その１−
先ず、図１７のステップ１に示されるように、例えばディスク製造時あるいは記録動作と平行したバックグラウンドフォーマット時等の所定のタイミングで、本発明に係る所定データの一具体例であるダミーデータが記録されている。具体的には、Ｌ０層のデータエリア１０２−０、及びＬ０層のミドルエリア１０４−０に配置されるダミーデータエリアＤＤＡ１において、ミドルエリア属性（縦縞模様のハッチングを参照）の所定データが記録されている。また、Ｌ１層のミドルエリア１０４−１に配置されるダミーデータエリアＤＤＡ２においても、ミドルエリア属性の所定データが記録されている。また、Ｌ１層のデータエリア１０２−１に配置されるダミーデータエリアＤＤＡ３において、リードアウトエリア属性（横縞模様のハッチングを参照）の所定データが記録されている。また、Ｌ１層のリードアウトエリア１０３−１に配置されるダミーデータエリアＤＤＡ４においても、リードアウトエリア属性（横縞模様のハッチングを参照）の所定データが記録されている。【０１６０】
次に、図１７のステップ２及びステップ３に示されるように、例えば記録情報が、例えばインクリメンタルレコーディング方式に基づいて記録される。具体的には、矢印ＡＲ１やＡＲ２に示されるように、ダミーデータエリアＤＤＡ１の内周側から外周側へ向かって、記録情報（黒塗りのハッチングを参照）が所定量だけ上書きされる。従って、ダミーデータエリアＤＤＡ１は、内周側が記録情報によって、上書きされるので、より小さくなった記録領域であるダミーデータエリアＤＤＡ１−１や、ダミーデータエリアＤＤＡ１−１−１となる。【０１６１】
次に、図１７のステップ４に示されるように、例えばファイナライズを行う場合、Ｌ１層において、当該ファイナライズのための緩衝用データが所定量だけ、矢印ＡＲ３の方向に従って、ダミーデータエリアＤＤＡ３のダミーデータエリアＤＤＡ１−１−１に対向される記録領域において、記録される。従って、ダミーデータエリアＤＤＡ３は、一部の記録領域が緩衝用データによって、記録されるので、より小さくなった記録領域であるダミーデータエリアＤＤＡ３−１とダミーデータエリアＤＤＡ３−２とに分断される。続いて、Ｌ０層において、例えばファイナライズのための緩衝用データが所定量だけ、矢印ＡＲ４の方向に従って、リードインエリア１０１−０において記録される。【０１６２】
次に、図１７のステップ５及びステップ６に示されるように、ステップ３に引き続いて、例えば記録情報が、例えばインクリメンタルレコーディング方式に基づいて記録される。具体的には、矢印ＡＲ５やＡＲ６に示されるように、Ｌ０層のデータエリア１０２−０の外周端までと、Ｌ１層の外周側から内周側へ向かって、記録情報（黒塗りのハッチングを参照）が所定量だけ上書きされる。従って、ダミーデータエリアＤＤＡ３−２は、外周側が記録情報によって、上書きされるので、より小さくなった記録領域であるダミーデータエリアＤＤＡ３−２−１となる。【０１６３】
最後に、図１７のステップ７に示されるように、例えばファイナライズを行う場合、Ｌ０層において、例えば緩衝用データが所定量だけ、矢印ＡＲ７の方向に従って、リードインエリア１０１−０において記録される。【０１６４】
以上より、情報記録再生装置によるファイナライズ処理の際に、例えばミドルエリア属性の所定データが記録されている記録領域（即ち、例えばダミーデータエリアＤＤＡ２等）においては、例えばファイナライズのための緩衝状態にさせることを専ら目的とするパディングデータ等の緩衝用データを記録する必要は殆ど又は完全にないのでより効率的なファイナライズ処理を実現することができる。【０１６５】
（５−２）ダミーデータエリアの遷移の具体例−その２−
先ず、図１８のステップ１に示されるように、例えばディスク製造時あるいは記録動作と平行したバックグラウンドフォーマット時等の所定のタイミングで、本発明に係る所定データの一具体例であるダミーデータが記録されている。具体的には、Ｌ０層のデータエリア１０２−０、及びＬ０層のミドルエリア１０４−０に配置されるダミーデータエリアＤＤＡ１、Ｌ１層のミドルエリア１０４−１に配置されるダミーデータエリアＤＤＡ２、及び、Ｌ１層のデータエリア１０２−１に配置されるダミーデータエリアＤＤＡ３において、ミドルエリア属性（縦縞模様のハッチングを参照）の所定データが記録されている。また、Ｌ１層のリードアウトエリア１０３−１に配置されるダミーデータエリアＤＤＡ４において、リードアウトエリア属性（横縞模様のハッチングを参照）の所定データが記録されている。【０１６６】
次に、図１８のステップ２に示されるように、前述の図６のステップ２と同様にして、例えば記録情報が、例えばレイヤージャンプレコーディング方式に基づいて記録される。具体的には、コの字型の矢印ＡＲ１に示されるように、ダミーデータエリアＤＤＡ１の内周側から外周側へ向かって、記録情報（黒塗りのハッチングを参照）が所定量だけ上書きされ、Ｌ１層への層間ジャンプを経て、ダミーデータエリアＤＤＡ３の内周端へ向かって、記録情報が他の所定量だけ上書きされる。従って、ダミーデータエリアＤＤＡ１は、内周側が記録情報によって、上書きされるので、より小さくなった記録領域であるダミーデータエリアＤＤＡ１−１となる。また、ＡＲ１がＤＤＡ３の内周端まで記録されなかった場合は、ダミーデータエリアＤＤＡ３は、記録情報の上書きによって、ダミーデータエリアＤＤＡ３−１、及び、ダミーデータエリアＤＤＡ３−２の２つに分断される。【０１６７】
次に、図１８のステップ３の矢印ＡＲ２に示されるように、例えば記録動作と平行したバックグラウンドフォーマット時等の所定のタイミングで、例えばダミーデータエリアＤＤＡ３−２の外周側から内周側へ向かって、例えばデータエリア属性のダミーデータ等の所定データが所定量だけ上書きされる（斑点模様のハッチングを参照）。即ち、ダミーデータエリアＤＤＡ３−２の属性が、ミドルエリア属性から、データエリア属性へと変更される。【０１６８】
次に、図１８のステップ４に示されるように、ステップ２と概ね同様にして、例えば記録情報が、コの字型の矢印ＡＲ３の方向に従って、ダミーデータエリアＤＤＡ１−１の内周側から外周側へ向かって、記録情報が所定量だけ上書きされ、Ｌ１層への層間ジャンプを経て、ダミーデータエリアＤＤＡ３−１の内周端へ向かって、記録情報が他の所定量だけ上書きされる。従って、ダミーデータエリアＤＤＡ１−１は、内周側が記録情報によって、上書きされるので、より小さくなった記録領域であるダミーデータエリアＤＤＡ１−１−１となる。また、ＡＲ３がＤＤＡ３−１の内周端まで記録されなかった場合は、ダミーデータエリアＤＤＡ３−１は、記録情報の上書きによって、ダミーデータエリアＤＤＡ３−１−１、及び、ダミーデータエリアＤＤＡ３−１−２の２つに分断される。【０１６９】
次に、図１８のステップ５の矢印ＡＲ４に示されるように、例えば記録動作と平行したバックグラウンドフォーマット時等の所定のタイミングで、例えばダミーデータエリアＤＤＡ３−１−２の外周側から内周側へ向かって、例えばデータエリア属性のダミーデータ等の所定データが所定量だけ上書きされる（斑点模様のハッチングを参照）。即ち、ダミーデータエリアＤＤＡ３−１−２の属性が、ミドルエリア属性から、データエリア属性へと変更される。【０１７０】
次に、図１８のステップ６に示されるように、Ｌ１層において、例えば記録情報が所定量だけ、矢印ＡＲ５の方向に従って、ダミーデータエリアＤＤＡ３−１−２の内周端へ向かって、上書きされる。従って、ダミーデータエリアＤＤＡ３−１−２は、外周側が記録情報によって、上書きされるので、より小さくなった記録領域であるダミーデータエリアＤＤＡ３−１−２−１となる。【０１７１】
最後に、図１８のステップ７に示されるように、Ｌ０層において、例えばファイナライズのための緩衝用データが所定量だけ、矢印ＡＲ６の方向に従って、リードインエリア１０１−０において記録される。特に、Ｌ１層のダミーデータエリアＤＤＡ３−１−１の属性は、ミドルエリア属性であるので、緩衝用データの記録を省略することが可能となる。【０１７２】
以上より、情報記録再生装置によるファイナライズ処理の際に、例えばミドルエリア属性の所定データが記録されている記録領域（即ち、例えばダミーデータエリアＤＤＡ２等）においては、例えばファイナライズのための緩衝状態にさせることを専ら目的とするパディングデータ等の緩衝用データを記録する必要は殆ど又は完全にないのでより効率的なファイナライズ処理を実現することができる。【０１７３】
（５−３）ダミーデータエリアの遷移の具体例−その３−
先ず、図１９のステップ１に示されるように、例えばディスク製造時あるいは記録動作と平行したバックグラウンドフォーマット時等の所定のタイミングで、本発明に係る所定データの一具体例であるダミーデータが記録されている。具体的には、Ｌ０層のデータエリア１０２−０の一部に配置されるダミーデータエリアＤＤＡ１において、ミドルエリア属性（縦縞模様のハッチングを参照）の所定データが記録されている。また、Ｌ１層のデータエリア１０２−１の一部に配置されるダミーデータエリアＤＤＡ２において、リードアウトエリア属性（横縞模様のハッチングを参照）の所定データが記録されている。また、Ｌ１層のリードアウトエリア１０３−１に配置されるダミーデータエリアＤＤＡ３においても、リードアウトエリア属性（横縞模様のハッチングを参照）の所定データが記録されている。【０１７４】
次に、図１９のステップ２及びステップ３に示されるように、例えば記録情報が、例えばインクリメンタルレコーディング方式に基づいて記録される。具体的には、矢印ＡＲ１やＡＲ２に示されるように、ダミーデータエリアＤＤＡ１の内周側から外周側へ向かって、記録情報（黒塗りのハッチングを参照）が、ダミーデータエリアＤＤＡ１のデータ量より大きな所定量だけ上書きされる。従って、ダミーデータエリアＤＤＡ１は、記録情報によって、上書きされる。特に、情報記録再生装置は、（ｉ）記録情報のデータ量、及び（ｉｉ）ＤＲ情報（前述の図４、図５、図７、及び図８の説明を参照）に基づいて、ダミーデータエリアＤＤＡ１が、全て上書きされたことを判別することが可能である。【０１７５】
次に、図１９のステップ４に示されるように、例えば記録動作と平行したバックグラウンドフォーマット時等の所定のタイミングで、Ｌ０層において記録情報が記録されている記録領域の外周側の一部に対向される、Ｌ１層のダミーデータエリアＤＤＡ２が存在しない領域において、矢印ＡＲ３の方向に従って、例えば記録情報が記録される。次に、例えばファイナライズを行う場合、Ｌ０層において、当該ファイナライズのための緩衝用データが所定量だけ、矢印ＡＲ４の方向に従って、記録され、シフトミドルエリア１０４ｓ−０が形成される。同様にして、Ｌ１層において、緩衝用データが所定量だけ、矢印ＡＲ５の方向に従って、記録され、シフトミドルエリア１０４ｓ−１が形成される。続いて、Ｌ０層において、例えば緩衝用データが所定量だけ、矢印ＡＲ６の方向に従って、リードインエリア１０１−０において記録される。【０１７６】
次に、図１９のステップ５に示されるように、ステップ３に引き続いて、例えば記録情報が、例えばインクリメンタルレコーディング方式に基づいて記録される。具体的には、矢印ＡＲ７やＡＲ８に示されるように、Ｌ０層のデータエリア１０２−０の外周端までと、Ｌ１層の外周側から内周側へ向かって、記録情報（黒塗りのハッチングを参照）が所定量だけ上書きされる。従って、ダミーデータエリアＤＤＡ２は、外周側が記録情報によって、上書きされるので、より小さくなった記録領域であるダミーデータエリアＤＤＡ２−１となる。【０１７７】
最後に、図１９のステップ６に示されるように、例えばファイナライズを行う場合、先ず、Ｌ０層のミドルエリア１０４−０において、当該ファイナライズのための緩衝用データが所定量だけ、矢印ＡＲ９の方向に従って、記録され、ミドルエリア１０４−０が形成される。同様にして、Ｌ１層において、緩衝用データが所定量だけ、矢印ＡＲ１０の方向に従って、記録され、ミドルエリア１０４−１が形成される。続いて、Ｌ０層において、例えば緩衝用データが所定量だけ、矢印ＡＲ１１の方向に従って、リードインエリア１０１−０において記録される。【０１７８】
以上より、情報記録再生装置による、例えば記録動作と平行したバックグラウンドフォーマット時等の所定のタイミングで、ＤＲ情報に基づいて、例えば緩衝用データ等の記録情報が記録される。その結果、例えばインクリメンタルレコーディング方式の下での、上述した記録要件を満たした、ファイナライズを含む記録動作を、高い負荷が記録制御処理に掛かるのを抑制しつつ、より的確且つ迅速に行わせることが可能である。【０１７９】
（５−４）ダミーデータエリアの遷移の具体例−その４−
先ず、図２０のステップ１に示されるように、例えばディスク製造時あるいは記録動作と平行したバックグラウンドフォーマット時等の所定のタイミングで、本発明に係る所定データの一具体例であるダミーデータが記録されている。具体的には、Ｌ０層のデータエリア１０２−０、及びＬ０層のミドルエリア１０４−０に配置されるダミーデータエリアＤＤＡ１において、ミドルエリア属性（縦縞模様のハッチングを参照）の所定データが記録されている。また、Ｌ１層のデータエリア１０２−１の一部に配置されるダミーデータエリアＤＤＡ２において、データエリア属性（斑点模様のハッチングを参照）の所定データが記録されている。また、Ｌ１層のリードアウトエリア１０３−１に配置されるダミーデータエリアＤＤＡ３において、リードアウトエリア属性（横縞模様のハッチングを参照）の所定データが記録されている。【０１８０】
次に、図２０のステップ２に示されるように、前述の図６のステップ２と同様にして、例えば記録情報が、例えばレイヤージャンプレコーディング方式に基づいて記録される。具体的には、コの字型の矢印ＡＲ１に示されるように、ダミーデータエリアＤＤＡ１の内周側から外周側へ向かって、記録情報（黒塗りのハッチングを参照）が所定量だけ上書きされ、Ｌ１層への層間ジャンプを経て、ダミーデータエリアＤＤＡ２の内周端へ向かって、記録情報が他の所定量だけ上書きされる。従って、ダミーデータエリアＤＤＡ１は、内周側が記録情報によって、上書きされるので、より小さくなった記録領域であるダミーデータエリアＤＤＡ１−１となる。また、ＡＲ１がＤＤＡ２の内周端まで記録されなかった場合は、ダミーデータエリアＤＤＡ２は、記録情報の上書きによって、ダミーデータエリアＤＤＡ２−１、及び、ダミーデータエリアＤＤＡ２−２の２つに分断される。【０１８１】
次に、図２０のステップ３に示されるように、ステップ２と概ね同様にして、例えば記録情報が、コの字型の矢印ＡＲ２の方向に従って、ダミーデータエリアＤＤＡ１−１の内周側から外周側へ向かって、記録情報が所定量だけ上書きされ、Ｌ１層への層間ジャンプを経て、Ｌ１層の未記録領域において、内周側へ向かって、記録情報が他の所定量だけ上書きされる。従って、ダミーデータエリアＤＤＡ１−１は、内周側が記録情報によって、上書きされるので、より小さくなった記録領域であるダミーデータエリアＤＤＡ１−１−１となる。特に、情報記録再生装置は、（ｉ）記録情報のデータ量、及び（ｉｉ）ＤＲ情報（前述の図４等の説明を参照）に基づいて、ダミーデータエリアＤＤＡ２−１と矢印ＡＲ２で記録された記録領域との間が、未記録状態であることを判別することが可能である。【０１８２】
次に、図２０のステップ４の矢印ＡＲ３に示されるように、例えば記録動作と平行したバックグラウンドフォーマット時等の所定のタイミングで、例えばダミーデータエリアＤＤＡ２−１の外周側に位置する未記録領域において、例えばデータエリア属性のダミーデータ等の所定データが所定量だけ上書きされる（斑点模様のハッチングを参照）。【０１８３】
最後に、図２０のステップ５に示されるように、ファイナライズを行う場合、Ｌ１層において、例えばファイナライズのための緩衝用データが所定量だけ、矢印ＡＲ４の方向に従って、記録され、シフトミドルエリア１０４ｓ−１が形成される。続いて、Ｌ０層において、例えば緩衝用データが所定量だけ、矢印ＡＲ５の方向に従って、リードインエリア１０１−０において記録される。特に、Ｌ０層のダミーデータエリアＤＤＡ１−１−１の属性は、ミドルエリア属性であるので、緩衝用データの記録を省略することが可能となる。【０１８４】
以上より、情報記録再生装置によるファイナライズ処理の際に、例えばミドルエリア属性の所定データが記録されている記録領域（即ち、例えばダミーデータエリアＤＤＡ１−１−１等）においては、例えばファイナライズのための緩衝状態にさせることを専ら目的とするパディングデータ等の緩衝用データを記録する必要は殆ど又は完全に無いのでより効率的なファイナライズ処理を実現することができる。【０１８５】
加えて、情報記録再生装置による、例えば記録動作と平行したバックグラウンドフォーマット時等の所定のタイミングで、ＤＲ情報に基づいて、例えば緩衝用データ等の記録情報が記録される。その結果、例えばインクリメンタルレコーディング方式の下での、上述した記録要件を満たした、ファイナライズを含む記録動作を、高い負荷が記録制御処理に掛かるのを抑制しつつ、より的確且つ迅速に行わせることが可能である。【０１８６】
（５−５）ダミーデータエリアの遷移の具体例−その５−
先ず、図２１のステップ１に示されるように、例えばディスク製造時あるいは記録動作と平行したバックグラウンドフォーマット時等の所定のタイミングで、本発明に係る所定データの一具体例であるダミーデータが記録されている。具体的には、Ｌ０層のデータエリア１０２−０における内周側の一部に配置されるダミーデータエリアＤＤＡ１において、ミドルエリア属性（縦縞模様のハッチングを参照）の所定データが記録されている。また、Ｌ０層のデータエリア１０２−０における外周側の一部に配置されるダミーデータエリアＤＤＡ２において、同様にして、ミドルエリア属性（縦縞模様のハッチングを参照）の所定データが記録されている。【０１８７】
次に、図２１のステップ２に示されるように、例えば記録情報が、例えばランダムライト方式に基づいて記録される。具体的には、矢印ＡＲ１に示されるように、ダミーデータエリアＤＤＡ１の内周側から外周側へ向かって、記録情報（黒塗りのハッチングを参照）が、ダミーデータエリアＤＤＡ１の外周端よりも外周側に向かって、所定量だけ上書きされる。従って、ダミーデータエリアＤＤＡ１は、一部の記録領域が記録情報によって、記録されるので、より小さくなった記録領域であるダミーデータエリアＤＤＡ１−１になる。【０１８８】
特に、情報記録再生装置は、（ｉ）記録情報の記録位置、及び（ｉｉ）ＤＲ情報（前述の図４等の説明を参照）に基づいて、ダミーデータエリアＤＤＡ１の外周端が、変更されたことを判別することが可能である。従って、情報記録再生装置は、図２１のステップ３内のうち点線で囲まれた、データエリア１０２ａ−１、及びデータエリア１０２ｂ−１の記録領域において、記録要件を満たした記録動作を行うことが可能であることを判別することが可能である。【０１８９】
次に、図２１のステップ４に示されるように、例えば記録情報が、例えばランダムライト方式に基づいて記録される。具体的には、矢印ＡＲ２に示されるように、ダミーデータエリアＤＤＡ２の内周側から外周側へ向かって、記録情報（黒塗りのハッチングを参照）が、所定量だけ上書きされる。従って、ダミーデータエリアＤＤＡ２は、一部の記録領域が記録情報によって、記録されるので、より小さくなった記録領域であるダミーデータエリアＤＤＡ２−１になる。【０１９０】
この場合においても、情報記録再生装置は、（ｉ）記録情報の記録位置、及び（ｉｉ）ＤＲ情報（前述の図４等の説明を参照）に基づいて、ダミーデータエリアＤＤＡ２の内周端が、変更されたことを判別することが可能である。従って、情報記録再生装置は、図２１のステップ４内のうち点線で囲まれた、前述のデータエリア１０２ａ-１に加えて、データエリア１０２ｃ−１の記録領域において、記録要件を満たした記録動作を行うことが可能であることを判別することが可能である。【０１９１】
上述した実施例によれば、光ディスク等の情報記録媒体は、Ｌ０層及びＬ１層において、物理的又は光学的に記録済み状態に近づけることが可能なダミーデータ等の所定データを含む記録情報が記録可能である。加えて、Ｌ０層、及びＬ１層のうち少なくとも一方に備えられた、例えばレコーディングマネージメントエリア（Recording Management Area）において、ＤＲ情報（Dummy Recording Information）等の管理情報を記録可能である。このＤＲ情報は（ｉ）ダミーデータを記録可能な所定データダミーデータエリアの位置に関する位置情報、及び、（ｉｉ）ダミーデータエリアの属性に関する属性情報のうち少なくとも一方を含む。【０１９２】
従って、次に示される２つの効果を享受することが可能である。【０１９３】
第１の効果として、情報記録装置によって、上述した記録要件を満たした、例えばランダムライトを含む記録動作を、高い負荷が記録制御処理に掛かるのを抑制しつつ、より的確且つ迅速に行わせることが可能である。更に、第２の効果として、当該情報記録媒体のファイナライズ処理に掛かる時間は、例えばコンテンツ情報等の実効的な記録情報を記録する記録時間と概ね等しくなるため、ファイナライズ処理に掛かる時間の大幅な短縮や、より効率的な短縮を実現させることが可能となり、ユーザは、ファイナライズ処理において、より大きな快適性を体感することが可能となる。【０１９４】
上述した実施例では、情報記録媒体の一具体例として、例えばブルーレイ、赤色ＬＤ光、又は赤外光等のレーザ光によって記録又は再生が可能な、単層型、２層型の光ディスクについて説明した。加えて、本発明は、例えば、３層以上の記録層を備える多層型（マルチプルレイヤ型）の光ディスクにも適用可能である。更に、他の高密度記録或いは高転送レート対応の各種の情報記録媒体にも適用可能である。【０１９５】
また、上述した実施例では、情報記録装置、及び情報再生装置の一具体例として、例えば２層型の光ディスクに対応した情報記録再生装置について説明した。加えて、本発明は、例えば、３層以上の記録層を備える多層型（マルチプルレイヤ型）の光ディスクに対応した情報記録再生装置にも適用可能である。更に、他の高密度記録或いは高転送レート対応の各種の情報記録媒体に対応した情報記録再生装置にも適用可能である。【０１９６】
本発明は、上述した実施例に限られるものではなく、請求の範囲及び明細書全体から読み取れる発明の要旨或いは思想に反しない範囲で適宜変更可能であり、そのような変更を伴う、情報記録媒体、情報記録装置及び方法、情報再生装置及び方法、並びに、コンピュータプログラムもまた本発明の技術的範囲に含まれるものである。
【産業上の利用可能性】
【０１９７】
本発明に係る情報記録媒体、情報記録装置及び方法、情報再生装置及び方法、並びに、コンピュータプログラムは、例えば、ＤＶＤ、ＢＤ、及びＣＤ等の情報記録媒体に利用可能であり、更にＤＶＤレコーダ又はプレーヤ等の情報記録装置、情報再生装置等に利用可能である。また、例えば民生用或いは業務用の各種コンピュータ機器に搭載される又は各種コンピュータ機器に接続可能な情報記録装置又は情報再生装置等にも利用可能である。
【図１】
0004577698.tif 000002
【図２】
0004577698.tif 000003
【図３】
0004577698.tif 000004
【図４】
0004577698.tif 000005
【図５】
0004577698.tif 000006
【図６】
0004577698.tif 000007
【図７】
0004577698.tif 000008
【図８】
0004577698.tif 000009
【図９】
0004577698.tif 000010
【図１０】
0004577698.tif 000011
【図１１】
0004577698.tif 000012
【図１２】
0004577698.tif 000013
【図１３】
0004577698.tif 000014
【図１４】
0004577698.tif 000015
【図１５】
0004577698.tif 000016
【図１６】
0004577698.tif 000017
【図１７】
0004577698.tif 000018
【図１８】
0004577698.tif 000019
【図１９】
0004577698.tif 000020
【図２０】
0004577698.tif 000021
【図２１】
0004577698.tif 000022
【図２２】
0004577698.tif 000023